(57)【要約】【課題】電子機器本体とグリップなどのアクセサリとを強固に固定するとともに容易に且つ確実に両者の電気接続を行う。【解決手段】アクセサリおよび前記電子機器本体の一方には、アクセサリおよび電子機器本体の他方と対向する第１の取付部に第１のねじ部と、他方と電気的な接続を行うための第１の電気接続部と、他方と係合する第１の係合部とが備えられ、他方には、一方と対向する第２の取付部に第１のねじ部と螺合する第２ねじ部と、第１の電気接続部と電気的に接続される第２の電気接続部と、第１の係合部と係合する第２の係合部とが備えられ、第１のねじ部と第２のねじ部とが螺合した際、第１の係合部と第２の係合部とが係合するとともに第１の電気接続部と第２の電気接続部とが電気的に接続される。【選択図】図７
2020194155.tif 000002
【特許請求の範囲】
【請求項１】
アクセサリが着脱可能に取り付けられる電子機器であって、
前記アクセサリおよび前記電子機器の本体の一方は、前記アクセサリおよび前記本体の他方と対向する第１の取付部を備え、
前記アクセサリおよび前記本体の前記他方は、前記アクセサリおよび前記本体の前記一方と対向する第２の取付部を備え、
前記第１の取付部は、
その中心に配置された第１のねじ部と、
前記第１のねじ部の外側に配置された第１の電気接続部と、
前記第１の電気接続部の外側に形成された第１の係合部と、を有し、
前記第２の取付部は、
その中心に配置され、前記第１のねじ部と螺合する第２のねじ部と、
前記第２のねじ部の外側に配置され、前記第１の電気接続部と電気的に接続される第２の電気接続部と、
前記第２の電気接続部の外側に形成され、前記第１の係合部と係合する第２の係合部と、を有し、
前記第１のねじ部と前記第２のねじ部が螺合した際、前記第１の係合部と前記第２の係合部が係合するとともに、前記第１の電気接続部と前記第２の電気接続部が電気的に接続されることを特徴とする電子機器。
【請求項２】
アクセサリが着脱可能に取り付けられる電子機器であって、
前記アクセサリおよび前記電子機器の本体の一方は、前記アクセサリおよび前記本体の他方と対向する第１の取付部を備え、
前記アクセサリおよび前記本体の前記他方は、前記アクセサリおよび前記本体の前記一方と対向する第２の取付部を備え、
前記第１の取付部は、
第１のねじ部と、
第１の電気接続部と、
第１の係合部と、を有し、
前記第２の取付部は、
前記第１のねじ部と螺合する第２のねじ部と、
前記第１の電気接続部と電気的な接続を行う第２の電気接続部と、
前記第１の係合部と係合する第２の係合部と、を有し、
前記第１の電気接続部および前記第２の電気接続部の一方は、所定の幅を備え、前記第１の電気接続部および前記第２の電気接続部の前記一方が配置される取付部の中心から所定の間隔をおいて同心円状に形成された複数の接点パターンであり、
前記第１の電気接続部とおよび前記第２の電気接続部の他方は、前記複数の接点パターンと同一の間隔で列をなして形成された複数の接点ピンであり、
前記第１のねじ部と前記第２のねじ部が螺合した際、前記第１の係合部と前記第２の係合部が係合するとともに、前記第１の電気接続部と前記第２の電気接続部が電気的に接続されることを特徴とする電子機器。
【請求項３】
前記第１の電気接続部および前記第２の電気接続部はそれぞれ、第１の接点保持部材および第２の接点保持部材に保持され、
前記第１の接点保持部材および前記第２の接点保持部材の少なくとも一方は、付勢部材によって相手側の接点から離れる方向に付勢され、
前記付勢部材によって付勢された接点保持部材は、前記第１のねじ部および前記第２のねじ部が螺合する際、前記第１のねじ部および前記第２のねじ部の少なくとも一方によって前記相手側の接点の方向に押し込まれることを特徴とする請求項１又は２に記載の電子機器。
【請求項４】
前記第１の電気接続部および前記第２の電気接続部はそれぞれ、前記第１の係合部および前記第２の係合部の係合面とは異なる面に位置することを特徴とする請求項１乃至３のいずれか１項に記載の電子機器。
【請求項５】
被写体を撮像する撮像手段と、
前記撮像手段で得られた画像に対して所定の画像処理を行う画像処理手段と、を備えることを特徴とする請求項１乃至４のいずれか１項に記載の電子機器。
【請求項６】
前記アクセサリは前記本体に対して所定の角度に回動可能に取り付けられ、
前記第１の電気接続部および前記第２の電気接続部の一方は、該一方の電気接続部を有する取付部の中心から放射状に配置された複数の接点ピンを有し、
前記第１の電気接続部および前記第２の電気接続部の他方は、該他方の電気接続部を有する取付部の中心を中心として同心円状に複数の接点パターンの配線部が形成された回路形成部材を有し、
前記回路形成部材は、
当該回路形成部材を備える前記本体又は前記アクセサリの所定の基板に接続される接続部と、
前記接続部と前記配線部とを繋ぐパターン引出部と、を有し、
前記本体に対して前記アクセサリを回転させた際に前記複数の接点ピンはそれぞれ、前記複数の接点パターンの異なるパターンにのみ接触することを特徴とする請求項１に記載の電子機器。
【請求項７】
前記複数の接点パターンの配線部は回路形成部材に形成されており、
前記回路形成部材は、
当該回路形成部材を備える前記本体又は前記アクセサリの所定の基板に接続される接続部と、
前記接続部と前記配線部を繋ぐパターン引出部と、を有し、
前記本体に対して前記アクセサリを回転させた際に、前記複数の接点ピンはそれぞれ、前記複数の接点パターンの異なるパターンにのみ接触することを特徴とする請求項２に記載の電子機器。
【請求項８】
前記第１の取付部および前記第２の取付部はそれぞれ円形に成形されていることを特徴とする請求項６又は７に記載の電子機器。
【請求項９】
前記回路形成部材は基板であり、前記パターン引出部はスルーホールであることを特徴とする請求項６乃至８のいずれか１項に記載の電子機器。
【請求項１０】
前記回路形成部材はフレキシブル基板であり、前記パターン引出部はカバーレイで覆われていることを特徴とする請求項６乃至８のいずれか１項に記載の電子機器。
【請求項１１】
前記複数の接点ピンは、第１の接点ピンおよび第２の接点ピンを有し、
前記本体に対して前記アクセサリを回転させて、前記第１の接点ピンおよび前記第２の接点ピンのいずれか一方が前記パターン引出部に接触した際に、前記第１の接点ピンおよび前記第２の接点ピンの他方が前記配線部に接触することを特徴とする請求項６乃至１０のいずれか１項に記載の電子機器。
【請求項１２】
前記第１の接点ピンおよび前記第２の接点ピンの双方が前記配線部に接触した場合には、前記第１の接点ピンの出力である信号を優先する制御手段を備えることを特徴とする請求項１１に記載の電子機器。
【請求項１３】
前記第１の係合部は、前記第１のねじ部の内周側に設けられ、
前記第２の係合部は、前記アクセサリおよび前記本体の前記一方に対する他方の回転位置を規制し、
前記第２の係合部は、前記アクセサリおよび前記本体の前記他方の回転位置を規制する第１の位置と、前記アクセサリおよび前記本体の前記他方の回転位置を変更可能な第２の位置との間で移動可能であることを特徴とする請求項２に記載の電子機器。
【請求項１４】
前記第１の係合部および前記第２の係合部はそれぞれ、凹凸形状に成形されている請求項１３に記載の電子機器。
【請求項１５】
前記複数の接点ピンは、前記第１の係合部よりも内周側に設けられ、
前記複数の接点パターンは、前記第２の係合部よりも内周側に設けられ、
前記複数の接点ピンは前記複数の接点パターンに摺動可能に接触することを特徴とする請求項１３又は１４に記載の電子機器。
【請求項１６】
前記複数の接点ピンは、当該複数の接点ピンが設けられている取付部から露出することを特徴とする請求項１３乃至１５のいずれか１項に記載の電子機器。
【請求項１７】
前記第１の係合部が前記第１のねじ部よりも内周側に設けられるとともに、前記複数の接点ピンが前記第１の係合部よりも内周側に設けられ、
前記複数の接点パターンが前記第２の係合部よりも内周側に設けられ、
前記第２の係合部は前記アクセサリおよび前記本体の前記一方に対する他方の回転位置を規制し、
前記複数の接点ピンはそれぞれ前記複数の接点パターンに摺動可能に接触することを特徴とする請求項２に記載の電子機器。
【請求項１８】
前記第１の係合部および前記第２の係合部の各々は凹凸形状に成形されていることを特徴とする請求項１７の電子機器。
【請求項１９】
前記複数の接点ピンは、当該複数の接点ピンが設けられている取付部から露出することを特徴とする請求項１７又は１８に記載の電子機器。
【請求項２０】
前記複数の接点ピンの先端は、前記第１の係合部の凹形状部よりもその位置が低いことを特徴とする請求項１９に記載の電子機器。
【請求項２１】
前記第２のねじ部は前記複数の接点パターンの外周を囲うように配置され、
前記アクセサリを前記本体に装着する際、前記第２のねじ部は前記第２の係合部よりも前記アクセサリおよび前記本体の前記一方の近くに突出し、
前記第１のねじ部および前記第２のねじ部の中心軸がずれた状態で前記本体に前記アクセサリを装着しようとした場合に、前記第２のねじ部と前記第１の係合部が当接して、前記複数の接点パターンの前記第１の係合部との衝突が防止されることを特徴とする請求項２０に記載の電子機器。
【請求項２２】
電子機器と、当該電子機器の本体に対して着脱可能に取り付けられるアクセサリと、を備えるシステムであって、
前記アクセサリおよび前記本体の一方は、前記アクセサリおよび前記本体の他方と対向する第１の取付部を備え、
前記アクセサリおよび前記本体の前記他方は、前記アクセサリおよび前記本体の前記一方と対向する第２の取付部を備え、
前記第１の取付部は、
その中心に配置された第１のねじ部と、
前記第１のねじ部の外側に配置された第１の電気接続部と、
前記第１の電気接続部の外側に形成された第１の係合部と、を有し、
前記第２の取付部は、
その中心に配置され、前記第１のねじ部と螺合する第２のねじ部と、
前記第２のねじ部の外側に配置され、前記第１の電気接続部と電気的に接続される第２の電気接続部と、
前記第２の電気接続部の外側に形成され、前記第１の係合部と係合する第２の係合部と、を有し、
前記第１のねじ部と前記第２のねじ部とが螺合した際、前記第１の係合部と前記第２の係合部が係合するとともに、前記第１の電気接続部と前記第２の電気接続部が電気的に接続されることを特徴とするシステム。
【請求項２３】
電子機器と、当該電子機器の本体に対して着脱可能に取り付けられるアクセサリと、を備えるシステムであって、
前記アクセサリおよび前記本体の一方は、前記アクセサリおよび前記本体の他方と対向する第１の取付部を備え、
前記アクセサリおよび前記本体の前記他方は、前記アクセサリおよび前記本体の前記一方と対向する第２の取付部を備え、
前記第１の取付部は、
第１のねじ部と、
第１の電気接続部と、
第１の係合部と、を有し、
前記第２の取付部は、
前記第１のねじ部と螺合する第２のねじ部と、
前記第１の電気接続部と電気的な接続を行う第２の電気接続部と、
前記第１の係合部と係合する第２の係合部と、を有し、
前記第１の電気接続部および前記第２の電気接続部の一方は、所定の幅を備え、前記第１の電気接続部および前記第２の電気接続部の前記一方が配置される取付部の中心から所定の間隔をおいて同心円状に形成された複数の接点パターンであり、
前記第１の電気接続部とおよび前記第２の電気接続部の他方は、前記複数の接点パターンと同一の間隔で列をなして形成された複数の接点ピンであり、
前記第１のねじ部と前記第２のねじ部が螺合した際、前記第１の係合部と前記第２の係合部が係合するとともに、前記第１の電気接続部と前記第２の電気接続部が電気的に接続されることを特徴とするシステム。
【請求項２４】
電子機器に対して着脱可能なアクセサリであって、
前記アクセサリおよび前記電子機器の本体の一方は、前記アクセサリおよび前記本体の他方と対向する第１の取付部を備え、
前記アクセサリおよび前記本体の前記他方は、前記アクセサリおよび前記本体の前記一方と対向する第２の取付部を備え、
前記第１の取付部は、
その中心に配置された第１のねじ部と、
前記第１のねじ部の外側に配置された第１の電気接続部と、
前記第１の電気接続部の外側に形成された第１の係合部と、を有し、
前記第２の取付部は、
その中心に配置され、前記第１のねじ部と螺合する第２のねじ部と、
前記第２のねじ部の外側に配置され、前記第１の電気接続部と電気的に接続される第２の電気接続部と、
前記第２の電気接続部の外側に形成され、前記第１の係合部と係合する第２の係合部と、を有し、
前記第１のねじ部と前記第２のねじ部とが螺合した際、前記第１の係合部と前記第２の係合部が係合するとともに、前記第１の電気接続部と前記第２の電気接続部が電気的に接続されることを特徴とするアクセサリ。
【請求項２５】
電子機器に対して着脱可能なアクセサリであって、
前記アクセサリおよび前記電子機器の本体の一方は、前記アクセサリおよび前記本体の他方と対向する第１の取付部を備え、
前記アクセサリおよび前記本体の前記他方は、前記アクセサリおよび前記本体の前記一方と対向する第２の取付部を備え、
前記第１の取付部は、
第１のねじ部と、
第１の電気接続部と、
第１の係合部と、を有し、
前記第２の取付部は、
前記第１のねじ部と螺合する第２のねじ部と、
前記第１の電気接続部と電気的な接続を行う第２の電気接続部と、
前記第１の係合部と係合する第２の係合部と、を有し、
前記第１の電気接続部および前記第２の電気接続部の一方は、所定の幅を備え、前記第１の電気接続部および前記第２の電気接続部の前記一方が配置される取付部の中心から所定の間隔をおいて同心円状に形成された複数の接点パターンであり、
前記第１の電気接続部とおよび前記第２の電気接続部の他方は、前記複数の接点パターンと同一の間隔で列をなして形成された複数の接点ピンであり、
前記第１のねじ部と前記第２のねじ部が螺合した際、前記第１の係合部と前記第２の係合部が係合するとともに、前記第１の電気接続部と前記第２の電気接続部が電気的に接続されることを特徴とするアクセサリ。
【発明の詳細な説明】
【技術分野】
【０００１】
本発明は、電子機器、アクセサリ及びシステムに関し、特に、電子機器本体に備えられ、電気接点を有するアクセサリが着脱可能な電子機器に関し、電子機器が備える電気接点を保護する技術に関する。
【背景技術】
【０００２】
一般に、電子機器の１つである撮像装置においては撮像装置本体を把持するためのグリップ（アクセサリの１つ）が備えられており、このグリップは撮像装置本体に着脱可能とされることがある。例えば、グリップが撮像装置本体に対して着脱可能であれば、三脚を使用する際などグリップが不要である場合に撮像装置自体が占有するスペースを小さくすることができる。
【０００３】
さらに、グリップを撮像装置本体に対して回転可能とすれば、例えば、ハイアングルからローアングル撮影に切り替える際にグリップを把持した状態でスムーズに撮影アングルを変えることができる。
【０００４】
一方、撮像装置本体とグリップとの間で電源供給および通信を行うため、ケーブルを用いることがある（例えば、特許文献１参照）。しかし、ケーブルを用いた場合にはケーブルの挿抜および引き回し、そして、接続端子の収納に必要なスペースなどに起因して撮像装置本体およびグリップが大型化する。さらに、グリップを回転させた際にはケーブルの引き回しが煩雑になってしまう。
【０００５】
そこで、グリップに備えられた固定部に電気接点を備えて、グリップを撮像装置本体に装着すると電気通信などを行えるようにしたものがある（例えば、特許文献２参照）。
【０００６】
ここで、２つの機器を任意の角度で固定（連結）する手法として、ロゼット（菊座）を用いる手法が知られており（例えば、特許文献３参照）、この手法を撮像装置に対するグリップの着脱に利用することができる。撮像装置とグリップの双方にはロゼットとねじが配置されており、互いのロゼットを係合した上でねじを締めることで、撮像装置に対してグリップを任意の角度で固定することができる。
【０００７】
また、電気接点を保護する技術の一例として、特許文献４には、電池の充電器の電気接点（接触端子）に対して、非使用時に電気接点を覆う端子カバーが開示されている。特許文献４の構成では、充電器の使用時には、電池を装着する操作に応じて電池によって端子カバーが押し込まれることで電気接点が露出して、電池の端子と接触する。
【０００８】
そして、特許文献５には、コネクタが配置された面に開閉蓋を設け、他の機器と接続する際はその開閉蓋を開けて一方のコネクタを機器から突出させることで他方のコネクタに接続する携帯型情報機器が開示されている。
【先行技術文献】
【特許文献】
【０００９】
【特許文献１】特開２０１３−９２６７８号公報
【特許文献２】特開２００７−１９４９５３号公報
【特許文献３】特開平４−１０２７９９号公報
【特許文献４】特開平１１−１５４５３６号公報
【特許文献５】特開平８−２２４３７号公報
【発明の概要】
【発明が解決しようとする課題】
【００１０】
しかしながら、上記特許文献２においては、撮像装置本体とグリップとの固定がバヨネット固定であるので、撮像装置本体とグリップとを強固に固定することが困難である。その結果、グリップを把持した状態においてグリップと撮像装置本体との固定がガタつく恐れがある。さらに、グリップを把持した状態でガタつきが生じると電気接点間に隙間が生じて電気接続が不安定になる恐れがある。
【００１１】
上記特許文献３の構成に対しては、撮像装置とグリップとの間で電源供給や通信を行うために、互いのロゼットの内側に電気接点を設ける構成が考えられる。しかし、上記特許文献３の構成では、電気接点がロゼットによって損傷してしまう可能性がある。また、グリップの非装着時に撮像装置とグリップのそれぞれの電気接点が外観に露出していると、例えば、電気接点に意図せずして指などが触れてしまうことで被膜が形成され、接触不良を招く可能性がある。そこで、電気接点を使用しない場合には、電気接点を覆って保護することが望ましい。
【００１２】
上記特許文献４に開示された端子カバーは、適切な規格の電池をセットする操作以外の操作、例えば指で端子カバーを押し込むなどすることで簡単に電気接点が露出してしまう。例えば、撮像装置のように、ユーザーによる把持方法が複数想定され、把持方法が頻繁に変わる装置においては、ユーザーの指や別の装置が意図せず端子カバーを押し込むことで電気接点が露出してしまう可能性がある。そのため、上記従来技術に係る端子カバーでは、指が電気接点に触れて絶縁性の被膜が形成されることで接触不良が生じる可能性や、別の装置が電気接点に触れて電気接点を損傷させてしまう可能性がある。さらに、電気接点が簡単に外部に露出してしまうと電気接点に酸化被膜が形成されやすくなり、電気接続の信頼性が低下してしまう。
【００１３】
上記特許文献５に開示された携帯型情報機器では、開閉蓋は開閉時には引き戸のように直線的に移動するため、開閉蓋を退避させるための空間が必要となる。このような退避空間を設けることは、ロゼットの内側の限られた空間に電気接点を配置する構造では、設計上の大きな制約となってしまう。また、携帯型情報機器では開閉蓋を開けると、コネクタの電気接点が外部から見える状態となるため、上記特許文献４に開示された技術と同様に、指や別の装置がコネクタに触れることで電気接点に接触不良や損傷が生じるおそれがある。
【００１４】
本発明は、電子機器本体とグリップなどのアクセサリとを強固に固定するとともに容易に且つ確実に両者の電気接続を行うことができる、アクセサリが着脱可能な電子機器を提供することを目的とする。
【課題を解決するための手段】
【００１５】
本発明に係る電子機器は、アクセサリが着脱可能に取り付けられる電子機器であって、前記アクセサリおよび前記電子機器の本体の一方は、前記アクセサリおよび前記本体の他方と対向する第１の取付部を備え、前記アクセサリおよび前記本体の前記他方は、前記アクセサリおよび前記本体の前記一方と対向する第２の取付部を備え、前記第１の取付部は、その中心に配置された第１のねじ部と、前記第１のねじ部の外側に配置された第１の電気接続部と、前記第１の電気接続部の外側に形成された第１の係合部と、を有し、前記第２の取付部は、その中心に配置され、前記第１のねじ部と螺合する第２のねじ部と、前記第２のねじ部の外側に配置され、前記第１の電気接続部と電気的に接続される第２の電気接続部と、前記第２の電気接続部の外側に形成され、前記第１の係合部と係合する第２の係合部と、を有し、前記第１のねじ部と前記第２のねじ部が螺合した際、前記第１の係合部と前記第２の係合部が係合するとともに、前記第１の電気接続部と前記第２の電気接続部が電気的に接続されることを特徴とする。
【発明の効果】
【００１６】
本発明によれば、電子機器本体とグリップなどのアクセサリとを強固に固定するとともに容易に且つ確実に両者の電気接続を行うことができる。
【図面の簡単な説明】
【００１７】
【図１】本発明の第１の実施形態による電子機器の１つである撮像装置においてアクセサリであるグリップが装着された状態を前方から示す斜視図である。
【図２】本発明の第１の実施形態による撮像装置においてグリップが装着された状態を後方から示す斜視図である。
【図３】本発明の第１の実施形態による撮像装置においてグリップが取り外された状態を後方から示す斜視図である。
【図４】図１および図２に示す撮像装置本体に装着されるグリップを後方から見た斜視図である。
【図５】図１および図２に示す撮像装置本体の取付部を分割して示す斜視図である。
【図６】図４に示すグリップの取付部を分割して示す斜視図である。
【図７】図１および図２に示す撮像装置本体およびグリップの取付構造を説明するための断面図である。
【図８】図２において交換レンズおよびベルトを取り除いた状態で撮像装置本体およびグリップを−Ｘ方向から見た側面図である。
【図９】図８に示す撮像装置本体に対してグリップを所定の軸の位置となるように回転させた状態を示す側面図である。
【図１０】図１に示すグリップに備えられたグリップ側基板を説明するための図である。
【図１１】図８および図９に示す撮像装置本体の本体側接点ピンとグリップのグリップ側基板を説明するための図である。
【図１２】図８に示す撮像装置本体にグリップを取り付けた状態を示す左側面図である。
【図１３】図１２に示すグリップを示す斜視図である。
【図１４】図１３に示すフレキシブル基板を説明するための図である。
【図１５】図１２に示す状態における撮像装置本体の接点部とグリップのフレキシブル基板を示す図である。
【図１６】本体側第１接点ピンおよび本体側第２接点ピンを備える撮像装置本体を示す左側面図である。
【図１７】図１６に示す撮像装置本体にグリップを取り付けた状態を示す左側面図である。
【図１８】図１４に示すフレキシブル基板と撮像装置本体の本体側第１接点ピンおよび本体側第２接点ピンを抜き出してＸ方向から見た図である。
【図１９】図１６に示す撮像装置本体に対してグリップ回転させた状態を示す図である。
【図２０】図１９に示す状態においてフレキシブル基板と本体側第１接点ピンおよび本体側第２接点ピンを抜き出してＸ方向から見た図である。
【図２１】本発明の第１の実施形態の第１の変形例による撮像装置本体の外観を示す斜視図である。
【図２２】本発明の第１の実施形態の第１の変形例による本体側取付機構を示す斜視図である。
【図２３】本発明の第１の実施形態の第１の変形例においてグリップ側接点パターンおよびグリップ側取付部材が設けられたグリップの外観を示す斜視図である。
【図２４】図２２に示す本体側取付機構を分解して示す斜視図である。
【図２５】図２２乃至図２４に示す本体側取付機構およびグリップ側取付部材を破断して示す第１の斜視図である。
【図２６】図２２乃至図２４に示す本体側取付機構およびグリップ側取付部材を破断して示す第２の斜視図である。
【図２７】図２２乃至図２４に示す本体側取付機構およびグリップ側取付部材を破断して示す第３の斜視図である。
【図２８】本発明の第１の実施形態の第２の変形例による撮像装置の外観を示す斜視図である。
【図２９】図２８に示す撮像装置本体の外観を示す斜視図である。
【図３０】図２９に示す本体側取付機構の構造を説明するための図である。
【図３１】図３０に示す体側取付機構における本体側取付部材の構造を説明するための図である。
【図３２】図３１に示す突起の位置に応じた接点保護蓋の位置を説明するための図である。
【図３３】図２９に示すグリップを説明するための図である。
【図３４】図３０に示す接点保護蓋の回動動作及び突起の位置と、グリップの着脱との関係を説明する図である。
【図３５】図３３に示すグリップを取り付ける際の本体側取付機構およびグリップ側取付部の部材の位置関係を示す図である。
【図３６】本発明の第１の実施形態の第２の変形例による撮像装置で用いられる接点無しグリップの外観を示す斜視図である。
【図３７】図３６に示す接点無しグリップを取り付ける際における本体側取付機構およびグリップ側取付部内の部材の位置関係を示す図である。
【図３８】本発明の第１の実施形態の第３の変形例による撮像装置本体に備えられた本体側取付機構を分解して示す斜視図である。
【図３９】本発明第１の実施形態の第３の変形例によるグリップに配設されたグリップ側取付機構を説明するための図である。
【図４０】図３８に示す本体側係合部を示す図である。
【図４１】図３８に示す撮像装置本体と図３９に示すグリップとが未接続の状態を示す、図４０に示すＡＡ−ＡＡ線に沿った断面図である。
【図４２】図３９に示すグリップの凸形状部が撮像装置本体の本体側係合部の内壁に挿入されてロックレバーに当接した状態を示す、ＡＡ−ＡＡ線に沿った断面図である。
【図４３】図３９に示すグリップの凸形状部が保護蓋を撮像装置本体側に押し込んで本体側接点ピンと接点パターンが接触した状態を示す、ＡＡ−ＡＡ線に沿った断面図である。
【図４４】グリップ固定ねじによってグリップを撮像装置本体に締め付けた状態を示す、ＡＡ−ＡＡ線に沿った断面図である。
【図４５】図３８に示す本体側接点ピンと接点パターンとのセルフクリーニングを説明するための図である。
【図４６】図４５に示す本体側係合部とグリップ側係合部とが係合する前の状態を示す図である。
【図４７】図４５に示す本体側凸形状部とグリップ側凸形状部とが係合した状態を示す図である。
【図４８】本発明の第２の実施形態による撮像装置を正面側から示す斜視図である。
【図４９】本発明の第２の実施形態による撮像装置を背面側から示す斜視図である。
【図５０】図４８においてグリップを取り外した状態を正面側から示す斜視図である。
【図５１】図４９においてグリップを取り外した状態を背面側から示す斜視図である。
【図５２Ａ】図５０に示す本体側取付機構を部分的に拡大して示す図である。
【図５２Ｂ】図５２Ａに示すＧ−Ｇで線に沿った断面図である。
【図５２Ｃ】図５２Ｂに示す断面図の一部を拡大して示す図である。
【図５３】図５０に示す本体側取付機構を分解して示す斜視図である。
【図５４】図４８に示すグリップを背面側から示す斜視図である。
【図５５】図４８に示すグリップを分解して示す斜視図である。
【図５６】図４８に示すグリップにおいて撮像装置本体との取付部周辺を部分的に示す断面図である。
【図５７Ａ】図４８に示す撮像装置本体にグリップを装着する前の状態を部分的に示す断面図である。
【図５７Ｂ】図４８に示す撮像装置本体にグリップを装着する途中の状態を部分的に示す部分断面図である。
【図５７Ｃ】図４８に示す撮像装置本体にグリップを装着した状態を部分的に示す断面図である。
【図５７Ｄ】本体側係合部とグリップ側係合部とが接触した状態を部分的に示す断面図である。
【図５８】本発明の第２の実施形態の第１の変形例による撮像装置本体の外観を示す斜視図である。
【図５９】図５８に示す撮像装置本体に備えられた本体側取付機構を説明するための図である。
【図６０】本発明の第２の実施形態の第１の変形例による撮像装置本体で用いられるグリップの外観を示す斜視図である。
【図６１】図５９に示す本体側取付機構を分解して示す斜視図である。
【図６２】図５９に示す本体側取付機構と図６０に示すグリップ側取付部材とを破断して示す第１の斜視図である。
【図６３】図５９に示す本体側取付機構と図６０に示すグリップ側取付部材とを破断して示す第２の斜視図である。
【図６４】図５９に示す本体側取付機構と図６０に示すグリップ側取付部材とを破断して示す第３の斜視図である。
【図６５】本発明の第３の実施形態による撮像装置で用いられるグリップを背面側から見た斜視図である。
【図６６】図６５に示すグリップを分解して示す斜視図である。
【図６７】図６５に示すグリップにおいて撮像装置本体との接合部の構造を部分的に示す断面図である。
【図６８】図６５に示すグリップの外装部材の一部を詳細に示す図である。
【図６９Ａ】図６５に示すグリップで用いられる取付部材駆動レバーの第１の斜視図である。
【図６９Ｂ】図６５に示すグリップで用いられる取付部材駆動レバーの第２の斜視図である。
【図６９Ｃ】図６９Ａに示す取付部材駆動レバーの分解斜視図である。
【図６９Ｄ】図６９Ａに示す取付部材駆動レバーのガイドピンを示す斜視図である。
【図７０】本発明の第３の実施形態において撮像装置本体に対してグリップを装着する前の状態を示す部分断面図である。
【図７１】本発明の第３の実施形態において撮像装置本体に対してグリップを装着する途中の状態を示す部分断面図である。
【図７２】本発明の第３の実施形態において撮像装置本体に対してグリップの装着が完了した状態を示す部分断面図である。
【図７３】本発明の第３の実施形態においてグリップ側係合部が本体側係合部と係合する位置にある際の状態を部分的に示す斜視図である。
【図７４】本発明の第３の実施形態において撮像装置本体に対してグリップを装着した状態でグリップ側係合部の係合を解除した状態を示す断面図である。
【図７５】本発明の第３の実施形態においてグリップ側係合部が本体側係合部に対して離間した位置にある際の状態を部分的に示す斜視図である。
【図７６】本発明の第３の実施形態においてガイドピンとガイド孔の関係を説明するための図である。
【図７７】本発明の第１乃至第３の実施形態による撮像装置本体の概略構成を示すブロック図である。
【発明を実施するための形態】
【００１８】
以下に、本発明の実施の形態による電子機器の一例について図面を参照して説明する。
【００１９】
図１は、本発明の第１の実施形態による電子機器の１つである撮像装置においてアクセサリであるグリップが装着された状態を前方から示す斜視図である。さらに、図２は、本発明の第１の実施形態による撮像装置においてグリップが装着された状態を後方から示す斜視図である。また、図３は、本発明の第１の実施形態による撮像装置においてグリップが取り外された状態を後方から示す斜視図である。
【００２０】
なお、ここでは、説明の便宜上、座標系を図１に示すように規定する。そして、Ｚ軸を撮像装置の前後方向（正面レンズ側を＋Ｚ方向）、Ｙ軸を撮像装置の上下方向（上面側を＋Ｙ方向）、Ｘ軸を撮像装置の左右方向（正面から見て右側面側を＋Ｘ方向）とする。
【００２１】
図１に示すように、撮像装置本体（電子機器本体）１０００の前側には、レンズマウント部１００１、交換レンズ１３００の装着を検知するレンズ接点部（図示せず）、および交換レンズを取り外すためのレンズ取り外しボタン１００２が備えられている。そして、レンズマウント部１００１には交換レンズ１３００が着脱可能に支持される。
【００２２】
また、図示されていないが、レンズマウント部１００１の後側において撮像装置本体１０００内にはレンズにより結像された光学像が結像されたる撮像素子と、撮像素子が実装されたセンサ基板とが収納されている。
【００２３】
撮像装置本体１０００の前方から見て右側面には、撮影者による操作によって撮像装置本体に所定の動作を実行させる操作ボタン群１００３が備えられている。さらに、当該右側面にはＲＥＣボタン１００４および電源スイッチ１００５が備えられるとともに、撮像装置本体１０００内に配置されたファンによって高温の空気を外部に排出するための排気口１００６が形成されている。また、右側面には記録媒体（図示せず）を収納する収納室を覆う記録媒体収納蓋１００７が設けられている。
【００２４】
図２に示すように、撮像装置本体１０００の後側には、バッテリーを収納するバッテリー収納部１００８、そして、外部接続端子および電源端子などの入出力端子群１００９が備えられている。
【００２５】
撮像装置本体１０００の前方から見て左側面には、上記したファンによって装置本体の外部から低温の空気を内部に吸い込むための吸気口１０１０が形成されるとともに、グリップ１４００などのアクセサリが装着可能な本体側取付機構１２００が備えられている。
【００２６】
図３に示すように、本体側取付機構１２００には、グリップ１４００を取り付け可能な本体側取付部材１２１０が備えられている。本体側取付部材１２１０は、例えば、略円盤状の形状であり、後述するグリップ１４００に備えられたグリップ側ねじ１４１１と螺合する本体側ねじ１２１１が本体側取付部材１２１０の中心に備えられている。
【００２７】
本体側ねじ１２１１の外側には、グリップ１４００に備えられたグリップ側接点パターン１４１２と電気的に接続される本体側接点ピン（電気接点ピン）１２１２が備えられている。本体側接点ピン１２１２の外側にはグリップ１４００に形成されたグリップ側係合部１４１３と係合する本体側係合部１２１３が形成されている。すなわち、本体側取付部材１２１０には中心から外側に向かって、本体側ねじ１２１１、本体側接点ピン１２１２、本体側係合部１２１３の順で配置されている。
【００２８】
本体側係合部１２１３は、その中心から放射状に形成された凸形状部と凹形状部とが所定の間隔で配置されており、同様の凹形状部と凸形状部とを有するグリップ側係合部１４１３と係合する。これによって、グリップ１４００と撮像装置本体１０００とが強固に固定される。なお、両者の固定について後述する。さらに、本体側取付部材１２１０はビス１２１４によって撮像装置本体１０００に固定される。
【００２９】
図４は、図１および図２に示す撮像装置本体に装着されるグリップを後方から見た斜視図である。
【００３０】
グリップ１４００は、撮影者（ユーザー）が撮像装置本体１０００を把持することを容易にするアクセサリの一種である。グリップ１４００は把持部１４０２を有しており、把持部１４０２はユーザーが把持する部分であって、人の手指に応じた形状に成形されている。
【００３１】
ベルト１４０３は、締め付けによってユーザーの手が把持部１４０２から離れるのを防ぐための部材である。ＲＥＣボタン１４０４、十字キー１４０５、および操作ダイヤル１４０６は操作部材であって、電気配線（図示せず）によって後述のグリップ側接点パターン１４１２と接続されている。以下特に記載しない限り、グリップは接点パターンを有するものとする。
【００３２】
グリップ側取付部材１４１０は、グリップ１４００を撮像装置本体１０００に装着する際に前述の本体側取付部材１２１０に取り付けられ、本体側取付部材１２１０と略同一の大きさである。グリップ側取付部材１４１０は、本体側ねじ１２１１と螺合するグリップ側ねじ１４１１をその中心に備える。グリップ側ねじ１４１１の外側には本体側接点ピン１２１２と電気的に接続するグリップ側接点パターン１４１２が配置されている。グリップ側接点パターン１４１２の外側には、本体側係合部１２１３と係合するグリップ側係合部１４１３が備えられている。
【００３３】
グリップ側係合部１４１３は、本体側係合部１２１３と同様にその中心から放射状に形成された凹形状部と凸形状部とを備え、本体側係合部１２１３と係合してグリップ１４００と撮像装置本体１０００を強固に固定する。なお、両者の固定について後述する。
【００３４】
グリップ側取付部材１４１０は、ビス１４１４によってグリップ１４００に固定される。グリップ側ねじ１４１１は、締付けつまみ１４０７と機械的に接続されている。そして、グリップ１４００を撮像装置本体１０００に装着する際には、外部に露出する締付けつまみ１４０７を回すことによってグリップ１４００と撮像装置本体１０００内に隠れるグリップ側ねじ１４１１を回すことができる。
【００３５】
図５は、図１および図２に示す撮像装置本体の本体側取付機構１２００を分解して示す斜視図である。
【００３６】
図５に示すように、本体側取付部材１２１０は、ビス１２１４によって撮像装置本体１０００内に備えられた本体側取付板金１２２０に固定される。本体側接点ピン１２１２は、接点ブロック１２１６に収容されるとともに、グリップ側接点パターン１４１２と接触する側と反対の一端が半田付けなどによって本体側基板１２１５と電気的に接続されて保持される。本体側基板１２１５は、電気配線（図示せず）によって本体側制御基板（図示せず）と接続されるとともに、ビス１２２１によって本体側取付板金１２２０に固定される。そして、本体側取付板金１２２０は本体内部板金（図示せず）に固定される。
【００３７】
本体側接点ピン１２１２は、接点ブロック１２１６内に収容された圧縮バネ（図示せず）によって撮像装置本体１０００から突出する方向（−Ｘ方向）に付勢される。接点ブロック１２１６が本体側取付部材１２１０に形成された開口孔１２１７を挿通することで、圧縮バネにより付勢された本体側接点ピン１２１２が撮像装置本体１０００の外部におけるグリップ１４００側（−Ｘ方向）に露出する。本体側接点ピン１２１２が圧縮バネにより付勢されることによって、グリップ側接点パターン１４１２と接触する際に所定の接触圧を確保することができる。つまり、本体側接点ピン１２１２は、グリップ側接点パターン１４１２に所定の接触圧で摺動可能に接触する。
【００３８】
また、本体側接点ピン１２１２は撮像装置本体１０００の外部に露出した状態で、本体側係合部１２１３の凹部よりも低い、撮像装置本体１０００の内側寄りに位置する。これによって、グリップ１４００を装着した際に、本体側接点ピン１２１２がグリップ側係合部１４１３と接触して破損することを防ぐことができる。なお、本体側接点ピン１２１２の位置については後述する。
【００３９】
本体側接点ピン１２１２は、接点ブロック１２１６内において所定の間隔をおいて径方向に一直線上に配置され、グリップ側接点パターン１４１２と接触することで電気的に接続される。図示の例では、接点ブロック１２１６内に本体側接点ピン１２１２が３本設けられ、それぞれ電源端子、通信端子、および接地端子としてグリップ側接点パターン１４１２の対応する箇所に接続される。
【００４０】
図６は、図４に示すグリップの取付部を分解して示す斜視図である。図６に示すように、グリップ側保持部材１４１６が、締付けつまみ１４０７とグリップ側取付板金１４２０との間に挟まれている。グリップ側保持部材１４１６には、凸部１４１７と軸部１４１８が形成されている。そして、グリップ側保持部材１４１６は、グリップ側保持部材１４１６の軸部１４１８に挿通される圧縮バネ１４１９によって締付けつまみ１４０７側（−Ｘ方向）、つまり、撮像装置本体１０００から離れる方向に付勢されて保持される。
【００４１】
図示の例では、圧縮バネ１４１９が挿通される軸部１４１８は、グリップ側取付部材１４１０の中心を中心として対称に２か所設けられ、これによって、安定してグリップ側保持部材１４１６を付勢することができる。また、グリップ１４００内の部品は化粧カバー１４０８によって覆われ、グリップ１４００内に異物が侵入することを防止する。
【００４２】
グリップ側基板１４１５（回路形成部材）は、電気配線（図示せず）によってグリップ側制御基板（図示せず）と接続されるとともに、導電部であるグリップ側接点パターン１４１２が中心から同心円状に所定の幅を有する複数の環状に形成されている。また、グリップ側接点パターン１４１２は、前述の複数の本体側接点ピン１２１２と同一の所定の間隔をおいて並列に形成され、対応する本体側接点ピン１２１２と電気的に接続される。図示の例では、本体側接点ピン１２１２と同様にグリップ側接点パターン１４１２が３本設けられる。そして、撮像装置本体１０００に対してグリップ１４００を任意の位相で固定しても両者を電気的に接続することができる。
【００４３】
グリップ側取付部材１４１０は、ビス１４１４によってグリップ側取付板金１４２０に固定される。また、グリップ側保持部材１４１６に設けられた凸部１４１７は、グリップ側取付板金１４２０およびグリップ側取付部材１４１０を挿通する。そして、グリップ側基板１４１５は、グリップ側接点パターン１４１２が形成された面と反対側の面がグリップ側保持部材１４１６の凸部１４１７と当接し、例えば、両面テープなどで固定される。図示の例では、凸部１４１７はグリップ側取付部材１４１０の中心を中心として対称に２か所設けられ、これによって、安定してグリップ側基板１４１５を固定することができる。
【００４４】
グリップ側ねじ１４１１の中心軸１４１１ａは、締付けつまみ１４０７の中心孔１４０７ａに挿通される。中心軸１４１１ａおよび中心孔１４０７ａは、ともに円柱形状の対向する２面をカットした所謂Ｉカット形状であって、Ｉカットの２面が嵌合することによって両者が嵌合保持される。
【００４５】
締付けつまみ１４０７を回すと、同時にグリップ側ねじ１４１１が回って、撮像装置本体１０００の本体側ねじ１２１１と螺合する。これによって、グリップ１４００を撮像装置本体１０００に固定することができる。また、締付けつまみ１４０７を回すと、締付けつまみ１４０７側に付勢保持されているグリップ側保持部材１４１６が撮像装置本体１０００側に押し込まれる。つまり、締付けつまみ１４０７を回すと、グリップ側接点パターン１４１２が撮像装置本体１０００側の本体側接点ピン１２１２側に押し込まれる。これにより、グリップ側接点パターン１４１２が対応する本体側接点ピン１２１２と電気的に接続され、撮像装置本体１０００とグリップ１４００が電気的に接続される。
【００４６】
図７は、図１および図２に示す撮像装置本体およびグリップの取付構造を説明するための断面図である。図７（ａ）は撮像装置本体にグリップを装着する前の状態を示す断面図であり、図７（ｂ）は撮像装置本体にグリップを係合させた状態を示す断面図である。また、図７（ｃ）は撮像装置本体にグリップを固定させた状態を示す断面図である。
【００４７】
図７（ａ）に示すように、撮像装置本体１０００にグリップ１４００を装着する際には、略同一の大きさの本体側取付部材１２１０とグリップ側取付部材１４１０との中心を合わせる。そして、グリップ１４００を撮像装置本体１０００側に（矢印Ａで示す方向（＋Ｘ方向））に押し付ける。図７（ａ）に示す状態では、撮像装置本体１０００とグリップ１４００とは固定されておらず、電気的にも接続されていない。
【００４８】
グリップ１４００を図７（ａ）に示す矢印Ａ方向（＋Ｘ方向）に押し付け、本体側係合部１２１３とグリップ側係合部１４１３とを係合させた状態が図７（ｂ）に示す状態である。
【００４９】
図７（ｂ）に示すように、本体側係合部１２１３とグリップ側係合部１４１３とが係合して噛み合い、グリップ１４００と撮像装置本体１０００との位相が定まる。また、本体側係合部１２１３とグリップ側係合部１４１３とは放射状に形成されているので、撮像装置本体１０００にグリップ１４００を任意の角度で係合することができる。
【００５０】
図示の例では、本体側係合部１２１３およびグリップ側係合部１４１３は６度の刻みで凸形状部および凹形状部が形成されているので、６度の刻みでグリップ１４００の角度を調整することができる。
【００５１】
この際、グリップ側保持部材１４１６に固定されたグリップ側基板１４１５のグリップ側接点パターン１４１２は、圧縮バネ１４１９によって締付けつまみ１４０７側（−Ｘ方向）に付勢される。そして、グリップ側接点パターン１４１２はグリップ側係合部１４１３の凸形状部よりもＸ方向において高さＨ２だけ低い位置に収納される。さらに、本体側接点ピン１２１２も本体側係合部１２１３の凹形状部よりもＸ方向において高さＨ１だけ低い位置にある。つまり、図７（ｂ）に示す状態、本体側係合部１２１３とグリップ側係合部１４１３とは係合しているが、本体側接点ピン１２１２とグリップ側接点パターン１４１２とは電気的に接続されていない状態となる。言い換えると、グリップ側係合部１４１３と本体側係合部１２１３とを係合する際に、本体側接点ピン１２１２とグリップ側接点パターン１４１２とが互いに相対する係合部と不用意に接触することを防ぐことができる。
【００５２】
グリップ１４００を矢印Ａ方向（＋Ｘ方向）に押し付けた状態で、締付けつまみ１４０７を図７（ｂ）に示す矢印Ｂ方向に回転させる。これによって、本体側ねじ１２１１にグリップ側ねじ１４１１を螺合させた状態が図７（ｃ）に示す状態である。
【００５３】
図７（ｃ）に示すように、本体側係合部１２１３とグリップ側係合部１４１３とが係合した状態で、本体側ねじ１２１１とグリップ側ねじ１４１１とが螺合する。これによって、グリップ１４００がガタつきなく、グリップ１４００を撮像装置本体１０００に強固に固定することができる。さらに、締付けつまみ１４０７を矢印Ｂ方向に回転させる。これによって、グリップ側保持部材１４１６に固定されたグリップ側基板１４１５のグリップ側接点パターン１４１２が圧縮バネ１４１９の付勢力に抗して締付けつまみ１４０７によって＋Ｘ方向に押し込まれる。そして、グリップ側接点パターン１４１２はグリップ側係合部１４１３の凸形状部よりもＸ方向において高さＨ３だけ高い位置に突出する。
【００５４】
高さ（つまり、突出量）Ｈ３は、本体側接点ピン１２１２を高さＨ１に加えて所定の接触圧になるようにさらに押し込んだ位置である。これにより、＋Ｘ方向に押し込まれたグリップ側接点パターン１４１２は撮像装置本体１０００の本体側接点ピン１２１２と電気的に接続される。つまり、撮像装置本体１０００にグリップ１４００が強固に固定できるととともに、容易に本体側接点ピン１２１２とグリップ側接点パターン１４１２とを電気的に接続することができる。さらに、撮像装置本体１０００とグリップ１４００とが強固に固定された状態で電気接続も確実になされるので、信頼性の高い電気接続を確保することができる。
【００５５】
グリップ１４００を撮像装置本体１０００から取り外す際は、図７（ａ）乃至図７（ｃ）で説明した装着と逆の操作を行う。まず、締付けつまみ１４０７を矢印Ｂ方向の反対方向に回してグリップ側ねじ１４１１を本体側ねじ１２１１から緩める。これによって、圧縮バネ１４１９の付勢力によってグリップ側接点パターン１４１２が本体側接点ピン１２１２から離間し、撮像装置本体１０００とグリップ１４００とが電気的に接続されない状態となる。
【００５６】
さらに、グリップ側ねじ１４１１が本体側ねじ１２１１から抜けて撮像装置本体１０００とグリップ１４００との固定が解除される。そして、矢印Ａ方向の反対方向にグリップ１４００を引き離せば、グリップ１４００を撮像装置本体１０００から取り外すことができる。
【００５７】
ここでは、撮像装置本体側に接点ピンを設け、そして、グリップ側に接点パターンを設けるようにしたが、撮像装置本体側に接点パターンを設け、そして、グリップ側に接点ピンを設けるようにしてもよい。
【００５８】
ここで、前述のグリップ側接点パターン１４１２の一例について説明する。
【００５９】
図８は、図２において交換レンズおよびベルトを取り除いた状態で撮像装置本体およびグリップを−Ｘ方向から見た側面図である。
【００６０】
図８に示すように、撮像装置本体１０００に対してグリップ１４００を軸Ｃが軸Ｃ’から軸Ｃ”の範囲２００１Ｃにおいて任意の角度に回動させることができる。
【００６１】
図９は、図８に示す撮像装置本体に対してグリップを所定の軸の位置となるように回転させた状態を示す側面図である。
【００６２】
図９においては、撮像装置本体１０００に対してグリップ１４００を軸Ｄが軸Ｄ’の位置になるように角度２００１Ｄで回転させた状態が示されている。ここでは、グリップ側基板１４１５以外の撮像装置本体１０００およびグリップ１４００については説明を省略する。
【００６３】
図１０は、図１に示すグリップに備えられたグリップ側基板を説明するための図である。図１０（ａ）はグリップ側基板を抜き出してＸ方向から見た図であり、図１０（ｂ）は図１０（ａ）に示す向きと反対側からグリップ側基板を見た図である。
【００６４】
図１０（ａ）において、グリップ側基板１４１５の表面には、グリップ側接点パターン１４１２として３本の表接点パターン１４１２ａ、１４１２ｂ、および１４１２ｃが径方向において所定の間隔をもって同心円状に配置されている。表接点パターン１４１２ａ、１４１２ｂ、および１４１２ｃにはそれぞれ、配線引出部（パターン引出部）であるスルーホール２０１２ａ、２０１２ｂ、および２０１２ｃが設けられている。表接点パターン１４１２ａ、１４１２ｂ、および１４１２ｃは、上記のスルーホールを介してグリップ側基板１４１５の裏面側の配線部である裏接点パターン２０１３ａ、２０１３ｂ、および２０１３ｃに電気的に接続されている。なお、スルーホール２０１２ａ、２０１２ｂ、および２０１２ｃの表面には凹凸が存在し、当該表面は撮像装置本体１０００の本体側接点ピン１２１２が接触するには適さない部分である。
【００６５】
図１０（ｂ）に示すように、グリップ側基板１４１５には電気コネクタ２０１４が実装されており、電気コネクタ２０１４の各ピンは裏接点パターン２０１３ａ、２０１３ｂ、および２０１３ｃと電気的に接続されている。グリップ側基板１４１５とグリップ１４００（図１０には示さず）内の基板は電線（図示せず）で接続されており、これによって、電源供給および通信を行うことができる。
【００６６】
図１１は、図８および図９に示す撮像装置本体の本体側接点ピンとグリップのグリップ側基板を説明するための図である。図１１（ａ）は図８に示す撮像装置本体の本体側接点ピンとグリップのグリップ側基板を示す図であり、図１１（ｂ）は図９に示す状態における撮像装置本体の接点部とグリップのグリップ側基板を示す図である。
【００６７】
図１１（ａ）において、軸Ｃ上に設けられた本体側接点ピン１２１２の各接点１２１２ａ、１２１２ｂ、および１２１２ｃはグリップ側接点パターン１４１２の表接点パターン１４１２ａ、１４１２ｂ、および１４１２ｃに接触する。これによって、電源供給および通信を行うことができる。
【００６８】
撮像装置本体１０００に対してグリップ１４００を図８に示す範囲２００１Ｃの角度で回動させた場合、本体側接点ピン１２１２は範囲２００１Ｃの位置で移動する。このため、本体側接点ピン１２１２がスルーホール２０１２ａ、２０１２ｂ、および２０１２ｃに接触する事態とはならない。
【００６９】
図１１（ｂ）において、撮像装置本体１０００に対してグリップ１４００が回転し、これによって、グリップ側基板１４１５が回転する。この際においても、本体側接点ピン１２１２の各接点１２１２ａ、１２１２ｂ、および１２１２ｃはグリップ側接点パターン１４１２の表接点パターン１４１２ａ、１４１２ｂ、および１４１２ｃに接触する。これによって、電源供給および通信を行うことができる。
【００７０】
ここで、グリップ側基板１４１５がフレキシブル基板である場合について説明する。
【００７１】
図１２は、図８に示す撮像装置本体にグリップを取り付けた状態を示す左側面図である。また、図１３は図１２に示すグリップを示す斜視図である。
【００７２】
図１２に示すように、撮像装置本体１０００に対してグリップ２００２は軸Ｅが軸Ｅ‘から軸Ｅ”の範囲２００１Ｅにおいて任意の角度に回動させることができる。また、図１３に示すように、グリップ２００２においては撮像装置本体１０００と接続する部分はフレキシブル基板２００６で構成されている。フレキシブル基板２００６以外のグリップ２００２の構成部品であるグリップ側取付部材１４１０およびビス１４１４などについては、前述の同様であるので説明を省略する。
【００７３】
図１４は、図１３に示すフレキシブル基板を説明するための図である。図１４（ａ）はフレキシブル基板を抜き出してＸ方向から見た図であり、図１４（ｂ）は図１４（ａ）においてフレキシブル基板のカバーレイを取り除いた状態を示す図である。
【００７４】
図１４（ａ）に示すように、フレキシブル基板２００６には、グリップ側接点パターン２０２１として３本の表接点パターン２０２１ａ、２０２１ｂ、および２０２１ｃが径方向において所定の間隔をもって配置されている。また、フレキシブル基板２００６の一部には、表接点パターン２０２１ａ、２０２１ｂ、および２０２１ｃに重なるようにしてカバーレイ２０２２が設けられている。そして、表接点パターン２０２１ａ、２０２１ｂ、および２０２１ｃはカバーレイ２０２２に覆われて露出しない。
【００７５】
図１４（ｂ）に示すように、フレキシブル基板２００６の下部には折り返し部２００７が存在する。表接点パターン２０２１ａ、２０２１ｂ、および２０２１ｃはフレキシブル基板２００６の裏面側に折り返されて、グリップ２００２内の基板（図示せず）に電気的に接続される。
【００７６】
図１５は、図１２に示す状態における撮像装置本体の接点部とグリップのフレキシブル基板を示す図である。
【００７７】
図１５に示すように、撮像装置本体１０００に対してグリップ２００２を範囲２００１Ｅの範囲において回動させる。この場合も、本体側接点ピン１２１２の各接点１２１２ａ、１２１２ｂ、および１２１２ｃはグリップ側接点パターン２０２１の表接点パターン２０２１ａ、２０２１ｂ、および２０２１ｃの範囲２００１Ｅで接触する。これによって、電源供給および通信を行うことができる。
【００７８】
ここで、撮像装置本体に本体側第１接点ピンおよび本体側第２接点ピンの２つの接続ピンが備えられた場合について説明する。
【００７９】
図１６は、本体側第１接点ピンおよび本体側第２接点ピンを備える撮像装置本体を示す左側面図である。また、図１７は図１６に示す撮像装置本体にグリップを取り付けた状態を示す左側面図である。
【００８０】
図１６に示すように、本体側取付機構２２００はグリップ２００２を取り付け可能な本体側取付部材２２１０を備えている。本体側取付部材２２１０は略円盤状であり、後述するグリップ２００２のグリップねじ（図示せず）と螺合する本体側ねじ２２１１を本体側取付部材２２１０の中心に備えている。
【００８１】
本体側ねじ２２１１の外側にはグリップ２００２のグリップ側接点パターン２０２１（図１６には示さず）と電気的に接続する本体側第１接点ピン２３１１と本体側第２接点ピン２３１２が備えられている。本体側第１接点ピン２３１１および本体側第２接点ピン２３１２の外側にはグリップ２００２と係合する本体側係合部２２１３が備えられている。本体側係合部２２１３は、その中心から放射状に形成された凸形状部と凹形状部とが所定の間隔をおいて配置されている。そして、本体側係合部２２１３が同様の凹形状部と凸形状部を有するグリップ側係合部（図示せず）と係合し、グリップ２００２と撮像装置本体２５００とを強固に固定することができる。
【００８２】
図１７に示すように、撮像装置本体２５００に対して３６０度回動可能なグリップ２００２が取り付けられる。グリップ２００２の構成は、前述のグリップと同様であるので、ここでは説明を省略する。
【００８３】
図１８は、図１４に示すフレキシブル基板と撮像装置本体の本体側第１接点ピンおよび本体側第２接点ピンを抜き出してＸ方向から見た図である。
【００８４】
図１８において、撮像装置本体２５００の本体側第１接点ピン２３１１の各接点２３１１ａ、２３１１ｂ、および２３１１ｃは表接点パターン２０２１ａ、２０２１ｂ、および２０２１ｃと接触している。一方、本体側第２接点ピン２３１２の各接点２３１２ａ、２３１２ｂ、および２３１３ｃはカバーレイ２０２２の上に接触しており、電気的に接続されない。この場合、撮像装置本体２５００とグリップ２００２との間の電源供給および通信は、グリップ側接点パターン２０２１と電気的に接続された本体側第１接点ピン２３１１を介して行われる。
【００８５】
図１９は、図１６に示す撮像装置本体に対してグリップ回転させた状態を示す図である。また、図２０は、図１９に示す状態においてフレキシブル基板と本体側第１接点ピンおよび本体側第２接点ピンを抜き出してＸ方向から見た図である。
【００８６】
図１９には、撮像装置本体２５００に対してグリップ２００２を軸Ｆが軸Ｆ’の位置になるように角度２００１Ｆで回転させた状態が示されている。ここでは、撮像装置本体２５００に対してグリップ２００２を回転させたので、フレキシブル基板２００６が回転する。
【００８７】
図２０に示すように、撮像装置本体２５００の本体側第１接点ピン２３１１の各接点２３１１ａ、２３１１ｂ、および２３１１ｃは表接点パターン２０２１ａ、２０２１ｂ、および２０２１ｃに接触している。また、本体側第２接点ピン２３１２の各接点２３１２ａ、２３１２ｂ、および２３１３ｃも表接点パターン２０２１ａ、２０２１ｂ、および２０２１ｃに接触している。
【００８８】
撮像装置本体２５００とグリップ２００２との通信は本体側第１接点ピン２３１１および本体側第２接点ピン２３１２の双方で可能な場合には、本体側第１接点ピン２３１１を優先して電源供給および通信が行われる。
【００８９】
［第１の実施形態における接点保護構造の第１の変形例］
ここで、本発明の第１の実施形態における撮像装置本体１０００の本体側取付機構１２００の第１の変形例について説明する。ここでは、本体側取付機構３１５０は接点保護構造を備えている。
【００９０】
［第１の接点保護構造の概略］
ここでは、撮像装置本体３１００に備えられる接点保護構造について説明する。前述の本体側取付機構１２００と同様に、所謂ロゼットと呼ばれるアクセサリの取付け機構が撮像装置本体３１００に用いられる。撮像装置本体３１００では本体側取付部材３１０１の半径方向の内側に接点部３１０２を備えている。接点部３１０２が撮像装置本体３１００の表面に露出している場合、次のような不具合が生じる可能性がある。
【００９１】
例えば、接点部３１０２に無意識に指などが触れて被膜が生じて接触不良を起こす可能性がある。また、別の装置が接点部３１０２に触れて接点部３１０２を破壊する可能性がある。さらに、本体側取付部材３１０１にアクセサリを装着する際、誤ってアクセサリの係合部を接点部３１０２にぶつけて接点部３１０２を破壊してしまう可能性がある。
【００９２】
これらの不具合を防ぐため、本体側取付機構３１５０においては電気接点を備えるアクセサリが装着された際に接点部３１０２を露出させ、それ以外の場合には接点部３１０２を退避させる構造が用いられる。
【００９３】
図２１は、本発明の第１の実施形態の変形例による撮像装置本体の外観を示す斜視図である。
【００９４】
さらに、図２２は、本発明の第１の実施形態の変形例による本体側取付機構を示す斜視図である。図２２（ａ）は本体側取付機構を外観側から見た斜視図であり、図２２（ｂ）は本体側取付機構を撮像装置本体の内側から見た斜視図である。
【００９５】
また、図２３は本発明の第１の実施形態の変形例においてグリップ側接点パターンおよびグリップ側取付部材が設けられたグリップの外観を示す斜視図である。
【００９６】
なお、ここでは、説明の便宜上、図２１に示すように座標系を規定する。そして、Ｚ軸を撮像装置の前後方向（正面レンズ側を＋Ｚ方向）、Ｙ軸を撮像装置の上下方向（上面側を＋Ｙ方向）、Ｘ軸を撮像装置の左右方向（レンズを正面から見て接点保護構造の右側面側を＋Ｘ方向）とする。
【００９７】
図２１に示すように、撮像装置本体３１００はグリップ３２００などのアクセサリを固定するための本体側取付機構３１５０を有している。本体側取付機構３１５０は、図２２に示すように、本体側取付板金３１５１に備えられた本体側固定部３１５２によって締結部材などで撮像装置本体３１００の内部に強固に固定される。強固に固定されることによって、本体側取付機構３１５０はグリップ３２００などのアクセサリが取り付けられても、グリップ３２００などのアクセサリを支持することができる。
【００９８】
図２１および図２２に示すように、本体側取付機構３１５０は円形の本体側取付部材３１０１を有している。本体側取付部材３１０１は円の中心から放射状に凹凸形状の溝が刻まれている。図２３に示すグリップ３２００に備えられたグリップ側取付部材３２０２にも同様に円の中心から放射状に凹凸形状の溝が刻まれている。そして、本体側取付部材３１０１およびグリップ側取付部材３２０２の各凹凸形状の溝を係合させることによって、撮像装置本体３１００に対するグリップ３２００の位置が決定される。
【００９９】
本体側取付部材３１０１の中心には本体側ねじ３１０３が設けられている。本体側ねじ３１０３は、図２３に示す第１のグリップ側ねじ３２０３と螺合して、撮像装置本体３１００とグリップ３２００とを固定するためのねじである。
【０１００】
グリップ３２００には、グリップ本体部３２５０に対して回転操作可能な締付けつまみ３２０５が備えられている。締付けつまみ３２０５の回転操作に伴って、第１のグリップ側ねじ３２０３が回転する。第１のグリップ側ねじ３２０３の先端には第２のグリップ側ねじ３２０４が設置されているが、その効果については後述する。
【０１０１】
本体側取付部材３１０１とグリップ側取付部材３２０２とを係合させて、締付けつまみ３２０５を回転操作して本体側ねじ３１０３と第１のグリップ側ねじ３２０３とを螺合させる。これによって、撮像装置本体３１００にグリップ３２００を固定することができる。
【０１０２】
図２２に示すように、本体側取付機構３１５０はグリップ３２００と電気的に接続するための接点部３１０２を有している。接点部３１０２は電気接続部３１６０によって撮像装置本体３１００内部と電気的に接続されている。
【０１０３】
図２３に示すように、グリップ３２００には撮像装置本体３１００と電気的に接続するためのグリップ側接点パターン３２０１が設けられている。グリップ側接点パターン３２０１は接点部３１０２と接して電気的な接続を行うためのパターンである。グリップ側接点パターン３２０１はグリップ側取付部材３２０２と同心円状にパターンが配置されている。このため、グリップ３２００を回転させて、撮像装置本体３１００に取り付けた際には、グリップ側接点パターン３２０１と接点部３１０２とは接することが可能であって電気的な接続を行うことができる。なお、図示の例では、接点部３１０２は３本のピンを有し、これらのピンに対応するためにグリップ側接点パターン３２０１は円周に沿って形成された３つのパターンを有している。
【０１０４】
前述のように、図２１に示す撮像装置本体３１００にグリップ３２００が固定されている場合には、接点部３１０２とグリップ側接点パターン３２０１が接触して電気的な接続が行われる。電気的に接続している場合には、撮像装置本体３１００とグリップ３２００との間で電源供給および通信などを行うことができる。
【０１０５】
一方、撮像装置本体３１００にグリップ３２００が固定されていない状態では、接点部３１０２を保護するため、接点部３１０２は退避する。当該退避については後述する。
【０１０６】
ここで、図２１乃至図２３の構成について再度説明する。図２１に示すように、本体側取付機構３１５０は、略円盤状の形状を有する本体側取付部材３１０１を備える。本体側取付部材３１０１の中心には、本体側ねじ３１０３が設けられている。本体側取付部材３１０１の表面の外周には、他の部材と係合するための放射状の凹凸形状部がリング状に形成されており、凹凸形状部の内周側に接点部３１０２が設けられている。接点部３１０２は、本体側取付機構３１５０を介して撮像装置本体３１００とグリップ３２００とを電気的に接続するための電気接点であり、電気接続部３１６０によって撮像装置本体３１００の内部と電気的に接続されている。
【０１０７】
一方、図２３に示すように、グリップ３２００を構成するグリップ本体部３２５０には、回転操作可能な締付けつまみ３２０５が備えられている。締付けつまみ３２０５の回転操作に伴って、第１のグリップ側ねじ３２０３が回転する。第１のグリップ側ねじ３２０３は、円柱状部材の軸方向の中間に設けられている。円柱状部材の先端（第１のグリップ側ねじ３２０３の先端側）には、第１のグリップ側ねじ３２０３と同軸に、且つ、第１のグリップ側ねじ３２０３とは異なるねじピッチで、第２のグリップ側ねじ３２０４が設けられている。第２のグリップ側ねじ３２０４の外径は第１のグリップ側ねじ３２０３の外径よりも短い。
【０１０８】
グリップ３２００に備えられた略円盤状の形状を有するグリップ側取付部材３２０２の表面の外周部には、本体側取付部材３１０１と同様に、放射状の凹凸形状部が形成されている。本体側取付部材３１０１の凹凸形状部とグリップ側取付部材３２０２の凸凹形状部とを係合させることによって、撮像装置本体３１００に対するグリップ３２００の位置が決定され、グリップ３２００のＸ軸回りの回転が規制される。こうして本体側取付部材３１０１の凹凸形状部とグリップ側取付部材３２０２の凹凸形状部とを係合させた状態で締付けつまみ３２０５が回転操作されると、本体側ねじ３１０３と第１のグリップ側ねじ３２０３とが螺合する。これにより、グリップ３２００が撮像装置本体３１００に固定される。
【０１０９】
グリップ３２００においてグリップ側取付部材３２０２の凹凸形状部の内周側には、撮像装置本体３１００と電気的に接続するためのグリップ側接点パターン３２０１が設けられている。グリップ側接点パターン３２０１は、同心円状に設けられている。これにより、グリップ３２００を回転させて撮像装置本体３１００に取り付けた際にグリップ側接点パターン３２０１は、接点部３１０２と接触して電気的な接続を行うことができる。つまり、撮像装置本体３１００にグリップ３２００が固定されている状態では、接点部３１０２とグリップ側接点パターン３２０１とが電気的に接続されるため、撮像装置本体３１００とグリップ３２００との間で電源供給や通信などを行うことが可能となる。ここで、図２１乃至図２３に関する再度の説明を終了する。
【０１１０】
図２４は、図２２に示す本体側取付機構を分解して示す斜視図である。図２４（ａ）は撮像装置本体の外観側から見た際の本体側取付機構３１５０を分解して示す斜視図であり、図２４（ｂ）は撮像装置本体の内部側から見た際の本体側取付機構３１５０を分解して示す斜視図である。
【０１１１】
本体側取付機構３１５０では、３本のシャフト部材３１０６および３つのビス３１５５によって本体側取付部材３１０１と本体側取付板金３１５１とが接点ユニット（接点保持部材）３１０５に共締めされる。接点部３１０２を有する接点ユニット３１０５はシャフト部材３１０６に挿通され、シャフトストッパー３１０７と本体側取付板金３１５１との間をシャフト部材３１０６に沿ってスライド可能である。
【０１１２】
このため、−Ｘ方向に接点ユニット３１０５がスライドすると、接点部３１０２の先端が取付部材接点面３１０１ａより−Ｘ方向に移動して、接点部３１０２が露出する。一方、＋Ｘ方向に接点ユニット３１０５がスライドすると、接点部３１０２の先端が取付部材接点面３１０１ａより＋Ｘ方向に移動して接点部３１０２が退避する。
【０１１３】
シャフト部材３１０６には、接点ユニット３１０５の他にも第１のバネ部３１０９および第２のバネ部３１１０が挿通されている。第１のバネ部３１０９は接点ユニット３１０５を＋Ｘ方向に付勢し、第２のバネ部３１１０は接点ユニット３１０５を−Ｘ方向に付勢する。
【０１１４】
接点ユニット３１０５には、本体側ねじ３１０３とねじピッチが異なり、第２のグリップ側ねじ３２０４と螺合するための第２の本体側ねじ３１０４が設けられている。第２の本体側ねじ３１０４の軸は本体側ねじ３１０３と同一の軸上に位置する。なお、第２の本体側ねじ３１０４による効果について後述する。
【０１１５】
接点ユニット３１０５には、接点部３１０２および電気接続部３１６０が設けられており、接点ユニット３１０５の移動に伴って接点部３１０２および電気接続部３１６０は−Ｘ方向および＋Ｘ方向に共に移動する。接点部３１０２は３本のピンを有している。３本のピンの内側（＋Ｘ方向）には、各ピンに対応する接点バネ３１０８（図２４には示さず）が３本設けられている。よって、接点部３１０２のピンが＋Ｘ方向に力を受けても破損せず、ピンは接点部３１０２の内側（＋Ｘ方向）に押し込まれる。
【０１１６】
撮像装置本体３１００と電気接続部３１６０とは電気的に接続されており、電気接続部３１６０と接点部３１０２の３本のピンとは電気的に接続されている。このため、グリップ側接点パターン３２０１に接点部３１０２が接している際には、撮像装置本体３１００からグリップ３２００まで電力および信号を送ることができる。
【０１１７】
ここで、上記の接点部３１０２における退避構造について説明する。
【０１１８】
図２５乃至図２７は、図２２乃至図２４に示す本体側取付機構およびグリップ側取付部材の破断斜視図である。図２５（ａ）は本体側取付部材とグリップ側取付部材とが係合する前の状態の破断斜視図であり、図２５（ｂ）は本体側取付部材とグリップ側取付部材とが係合した状態の破断斜視図である。
【０１１９】
また、図２６（ａ）は本体側ねじとグリップ側ねじとが螺合を開始した状態の破断斜視図であり、図２６（ｂ）は第２の本体側ねじと第２のグリップ側ねじとが接触した状態の破断斜視図である。
【０１２０】
さらに、図２７（ａ）は第２の本体側ねじと第２のグリップ側ねじとが螺合を開始した状態の破断斜視図であり、図２７（ｂ）は撮像装置本体にグリップが固定された状態の破断斜視図である。
【０１２１】
図２５（ａ）において、本体側取付部材３１０１とグリップ側取付部材３２０２とが接触することなく、グリップ３２００と撮像装置本体３１００とは離れた状態となる。この状態では、第１のバネ部３１０９によって、本体側取付部材３１０１と接点ユニット３１０５とはＸ軸に沿って離間する方向、つまり、接点ユニット３１０５を撮像装置本体内に付勢する方向に力が加えられる。このため、第１のバネ部３１０９によって、接点ユニット３１０５に設けられた接点部３１０２は取付部材接点面３１０１ａより＋Ｘ方向に位置し、接点部３１０２は退避することになる。
【０１２２】
第１のバネ部３１０９は本体側取付部材３１０１と接点ユニット３１０５とをＸ軸に沿って離間する方向に力を加え、第２のバネ部３１１０は接点ユニット３１０５とシャフトストッパー３１０７とをＸ軸に沿って離間する方向に力を加える。このため、接点ユニット３１０５は本体側取付部材３１０１とシャフトストッパー３１０７との間で位置が安定せず、接点部３１０２が図２５（ａ）に示す状態であっても露出してしまう恐れがある。このため、図示の例では、常に接点部３１０２が取付部材接点面３１０１ａより＋Ｘ方向に位置し、接点部３１０２が退避した状態となるようにする。例えば、第１のバネ部３１０９および第２のバネ部３１１０のバネバランスを調整して退避した状態となるようにする。
【０１２３】
図２５（ａ）に示す状態から本体側取付部材３１０１とグリップ側取付部材３２０２との位相を合わせて係合させると、図２５（ｂ）に示す状態となる。この状態で締付けつまみ３２０５を時計回り（矢印Ｊ方向）に回転操作を行う。当該回転操作に伴って、第１のグリップ側ねじ３２０３が共に時計回り（矢印Ｊ方向）に回転する。第１のグリップ側ねじ３２０３が回転すると、第１のグリップ側ねじ３２０３と本体側ねじ３１０３とが螺合して、第１のグリップ側ねじ３２０３が回転しつつ撮像装置本体の内部（＋Ｘ方向）に進んで、図２６（ａ）に示す状態となる。
【０１２４】
図２６（ａ）に示す状態においては、第２のグリップ側ねじ３２０４が本体側ねじ３１０３に干渉しないように、第２のグリップ側ねじ３２０４の径は第１のグリップ側ねじ３２０３の径よりも小さい。図２６（ａ）に示す状態からさらに締付けつまみ３２０５を時計回り（Ｊ方向）に回すと、第１のグリップ側ねじ３２０３が撮像装置本体の内部（＋Ｘ方向）にさらに進む。この結果、第１のグリップ側ねじ３２０３の先端に設けられた第２のグリップ側ねじ３２０４が接点ユニット３１０５に設けられた第２の本体側ねじ３１０４に当接して、図２６（ｂ）に示す状態となる。
【０１２５】
図示の例では、第１のグリップ側ねじ３２０３と第２のグリップ側ねじ３２０４とは同一の部材によって成形され、さらにこれらのねじの回転軸は同一である。このため、第１のグリップ側ねじ３２０３と第２のグリップ側ねじ３２０４とは共に回転して、撮像装置本体の内側に進む。
【０１２６】
第２のグリップ側ねじ３２０４と第２の本体側ねじ３１０４が当接した状態で、さらに第１のグリップ側ねじ３２０３および第２のグリップ側ねじ３２０４を時計回り（Ｊ方向）に回転させる。これによって、当接した箇所から接点ユニット３１０５を撮像装置本体の内側（＋Ｘ方向）に押す力が加わる。当該押圧力が加わると、接点ユニット３１０５を介して第２のバネ部３１１０が圧縮され接点ユニット３１０５が撮像装置本体の内側（＋Ｘ方向）に進む。
【０１２７】
この際、第２のグリップ側ねじ３２０４が回転して接点ユニット３１０５を押し進める間に、第２のグリップ側ねじ３２０４および第２の本体側ねじ３１０４のねじ山が噛み合う。ねじ山が噛み合うためには、第２の本体側ねじ３１０４と第２のグリップ側ねじ３２０４とが当接してから、最大で第２のグリップ側ねじ３２０４が１回転する必要がある。
【０１２８】
このため、少なくとも第１のグリップ側ねじ３２０３の１回転によって、撮像装置本体の内側（＋Ｘ方向）に進む距離を、接点ユニット３１０５は撮像装置本体の内側（＋Ｘ方向）に移動可能とする必要がある。図示の例では、２回転分で進む距離をスライドできるように、接点ユニット３１０５、シャフト部材３１０６、および第２のバネ部３１１０が構成される。
【０１２９】
図２６（ｂ）に示す状態から、さらに時計回り（Ｊ方向）に回転させると、本体側ねじ３１０３と第１のグリップ側ねじ３２０３とは螺合して、さらに第１のグリップ側ねじ３２０３は回転しつつ撮像装置本体の内側（＋Ｘ方向）に進む。回転に伴って第２の本体側ねじ３１０４および第２のグリップ側ねじ３２０４も螺合して、図２７（ａ）に示す状態となる。
【０１３０】
図示の例では、第２のグリップ側ねじ３２０４は第１のグリップ側ねじ３２０３よりもそのねじピッチが急である。つまり、１回転した際に軸方向に移動する距離は、第１のグリップ側ねじ３２０３よりも第２のグリップ側ねじ３２０４の方が大きい。例えば、第２のグリップ側ねじ３２０４と第１のグリップ側ねじ３２０３とが同一のねじピッチであるとする。この場合には、本体側ねじ３１０３と第１のグリップ側ねじ３２０３および第２の本体側ねじ３１０４と第２のグリップ側ねじ３２０４とを同時に螺合させても本体側取付部材３１０１と接点ユニット３１０５との距離は変わらない。
【０１３１】
一方、第２のグリップ側ねじ３２０４は第１のグリップ側ねじ３２０３よりもねじピッチを急にすれば、同時に螺合させた際には、接点ユニット３１０５は本体側取付部材３１０１に近づく方向（−Ｘ方向）にスライドする。接点ユニット３１０５が本体側取付部材３１０１に近づく方向（−Ｘ方向）にスライドすることによって、接点部３１０２が取付部材接点面３１０１ａよりも−Ｘ方向に移動して接点部３１０２が露出する。この結果、接点部３１０２はグリップ側接点パターン３２０１と接触する。
【０１３２】
図２７（ａ）に示すように、接点部３１０２とグリップ側接点パターン３２０１がとの接触によって導通し、前述のように撮像装置本体３１００とグリップ３２００とは電源供給および通信を行うことができる。
【０１３３】
図２７（ａ）に示す状態からさらに回転させると、図２７（ｂ）に示す状態となる。この状態では、第１のグリップ側ねじ３２０３および本体側ねじ３１０３によって本体側取付部材３１０１とグリップ側取付部材３２０２とが締め付けられた状態となる。そして、この状態では、撮像装置本体３１００にグリップ３２００がしっかりと固定された状態となる。
【０１３４】
図２７（ｂ）に示す状態では、図２７（ａ）に示す状態よりも本体側取付部材３１０１と接点ユニット３１０５とが接近しており、グリップ側接点パターン３２０１によって接点部３１０２は押しつぶされる方向に力が加えられる。しかし、接点部３１０２の根元にある接点バネ３１０８が圧縮されるので、接点部３１０２が押しつぶされて破損することはない。
【０１３５】
撮像装置本体３１００からグリップ３２００を取り外す場合には、図２５、図２６、および図２７で説明した操作と逆の手順で操作を行えば、簡単にグリップ３２００を取り外すことができる。
【０１３６】
このように、第１の変形例では、第２のグリップ側ねじ３２０４とグリップ側接点パターン３２０１とを有するグリップ３２００が取り付けられた場合にのみ、接点部３１０２が露出して導通させることができる。一方、グリップ３２００が取り付けられていない場合には、第２の本体側ねじ３１０４が螺合することがないので、接点部３１０２は露出することはない。
【０１３７】
さらに、グリップ側取付部材３２０２の周辺に不用意に触れてしまって押し込み方向（＋Ｘ方向）の力を加えてしまったとしても、接点部３１０２が露出することがない。このような接点部３１０２の露出および退避構造によって接点端子に対する意図しない接触および接点端子の破壊を防ぐことができる。
【０１３８】
［第１の実施形態における接点保護構造の第２の変形例］
ここで、本発明の第１の実施形態における撮像装置本体１０００の本体側取付機構１２００の第２の変形例について説明する。
【０１３９】
［第２の接点保護構造の概略］
図２８は、本発明の第１の実施形態の第２の変形例による撮像装置５１０１の外観を示す斜視図である。
【０１４０】
撮像装置５１０１は本体側取付機構５１１１（図２８には示さず）を有しており、さらに、撮像装置本体５１０２、撮影レンズ５１０３、およびグリップ５１０４を有している。
【０１４１】
図２９は、図２８に示す撮像装置本体５１０２の外観を示す斜視図である。
【０１４２】
図２９において、撮像装置本体５１０２に備えられた本体側取付機構５１１１以外の構成は前述の撮像装置本体１０００と同様であるので、ここでは説明を省略する。
【０１４３】
撮像装置本体５１０２の側面には、アクセサリの装着が可能な本体側取付機構５１１１が配置されている。本体側取付機構５１１１には、アクセサリの一例として、ロゼットの内側に電気接点を有するグリップ５１０４を装着することができる。
【０１４４】
図３０は、図２９に示す本体側取付機構５１１１の構造を説明するための図である。図３０（ａ）は本体側取付機構５１１１を分解して示す斜視図であり、図３０（ｂ）は図３０（ａ）に示す接点保護蓋５２１１の内側の構造を示す斜視図である。
【０１４５】
なお、ここでは、図２８に示すように、Ｚ軸を撮像装置本体５１０２の前後方向（正面レンズ側を＋Ｚ方向）、Ｙ軸を撮像装置本体５１０２の上下方向（上面側を＋Ｙ方向）とする。また、Ｘ軸を撮像装置本体５１０２の左右方向（撮影レンズ５１０３を正面から見て右側面側を＋Ｘ方向）とする。
【０１４６】
本体側ねじ５２６１は、グリップ５１０４に備えられた後述するグリップ側ねじ５３１１と螺合する雌ねじ部である。本体側取付部材５２４１は、ビス５２４３によって撮像装置本体５１０２に固定された略環状の部材であり、本体側係合部５２４４およびカム溝５２４２が設けられている。
【０１４７】
本体側係合部５２４４は、本体側取付部材５２４１の表面に形成された放射状の凹凸形状部であり、後述するグリップ側ロゼット５３１３と係合する。本体側係合部５２４４とグリップ側ロゼット５３１３とが係合することによって、グリップ５１０４のＸ軸の回りの回転を抑制することができる。
【０１４８】
カム溝５２４２は、本体側取付部材５２４１の内周側面に所定の形状で形成された溝である。カム溝５２４２には、後述する接点保護蓋５２１１の突起５２１５を嵌めることができる。
【０１４９】
なお、カム溝５２４２の詳細については後述する。また、図示の例では、本体側取付部材５２４１の内周側面にカム溝５２４２が形成されているが、本体側係合部５２４４とカム溝５２４２とを別々の部材に形成するようにしてもよい。
【０１５０】
本体側取付部材５２４１の内側には、撮像装置本体５１０２とグリップ５１０４との間で電源供給および通信を行うための電気接点である本体側接点ピン５２５１が設けられている。そして、本体側接点ピン５２５１は、電気配線（図示せず）によって撮像装置本体５１０２内の制御回路（図示せず）と接続される。
【０１５１】
本体側接点ピン５２５１の各ピンには、所定の機能が割り当てられており、例えば電源端子、通信端子、および接地端として機能する。本体側接点ピン５２５１は、グリップ５１０４に備えられた後述するグリップ側接点パターン５３１４と電気的に接続される。撮像装置本体５１０２内の制御回路は本体側接点ピン５２５１を介して、グリップ５１０４に対して電源供給および通信を行うことができる。
【０１５２】
接点ブロック５２５２は、本体側接点ピン５２５１を保持する。接点ブロックバネ５２５３は、Ｘ方向において、接点ブロック５２５２を後述するグリップ側接点パターン５３１４と当接可能な位置へ付勢する部材である。
【０１５３】
接点保護蓋５２１１は、本体側取付部材５２４１の内側に配置されており、開口部５２１２、接点露出部５２１３、指かけ５２１４、突起５２１５、および接点保護蓋当接部５２１６が設けられている。
【０１５４】
開口部５２１２は、グリップ側ねじ５３１１を挿入するための開口部である。接点露出部５２１３は、グリップ５１０４の装着に伴って接点保護蓋５２１１がＸ方向に押し下げられた際、接点露出部５２１３を介して本体側接点ピン５２５１が突出する開口部である。接点露出部５２１３の大きさは、接点ブロック５２５２の外形に合わせて、接点ブロック５２５２が通過することが可能な最小の大きさに設定されている。これによって、接点露出部５２１３から塵埃などの侵入を最小限に抑制することができる。
【０１５５】
指かけ５２１４は、ユーザーが接点保護蓋５２１１を回転させる操作を行う際に指をかける部分であり、ここでは、接点露出部５２１３と対向する位置に配置された円形の凹形状部である。指かけ５２１４に指を掛けることによって、ユーザーは接点保護蓋５２１１を容易に回転させることができる。
【０１５６】
なお、指かけ５２１４の位置、形状、および個数は、ユーザーが容易に指をかけることが可能であれば、上記の例には限定されない。
【０１５７】
突起５２１５は、接点保護蓋５２１１の外周側面に同一形状で複数配置された凸形状部である。突起５２１５を本体側取付部材５２４１のカム溝５２４２に嵌めることによって、接点保護蓋５２１１をカム溝５２４２の軌跡に沿って移動又は回転させることができる。
【０１５８】
接点保護蓋５２１１は、本体側接点ピン５２５１を機械的に保護するため強度の高い材料で成形することが望ましく、さらに電気的に保護するために樹脂材料などの絶縁性材料（誘電性材料）で成形することが好ましい。
【０１５９】
接点保護蓋当接部５２１６は、図３０（ｂ）に示すようにＸ軸を中心とした円の周方向において、接点露出部５２１３から略９０度離れた位置に配置された凸形状部である。接点保護蓋当接部５２１６は、接点保護蓋５２１１が接点ブロック５２５２を押し下げる動作を行う際に接点ブロック５２５２に当接する。なお、接点保護蓋５２１１が回転する際に、接点保護蓋当接部５２１６が接点ブロック５２５２の上に容易に乗り上げることができるように接点保護蓋当接部５２１６に斜面５２１７を形成してもよい。
【０１６０】
接点保護蓋保持部５２２１は、接点保護蓋５２１１がＸ軸の回りに回転できるように保持する部材であり、例えば、接点保護蓋保持部５２２１と接点保護蓋５２１１とを接触させて滑るようにしてもよく、スラスト軸受などを用いて滑るようにしてもよい。接点保護蓋バネ５２３１は、接点保護蓋保持部５２２１を−Ｘ方向（本体側ねじ５２６１の軸方向を接点保護蓋５２１１側）に付勢する部材であり、前述のカム溝５２４２により位置が規定される。
【０１６１】
［カム溝に沿った接点保護蓋の移動］
次に、上記のカム溝５２４２に沿った接点保護蓋５２１１の移動の態様について説明する。
【０１６２】
図３１は、図３０に示す本体側取付機構５１１１における本体側取付部材５２４１の構造を説明するための図である。図３１（ａ）は本体側取付部材５２４１を示す斜視図であり、図３１（ｂ）はカム溝５２４２の１つ分をＸ方向に展開した図である。
【０１６３】
図３１（ａ）に示すように、本体側取付部材５２４１の内周には、同一形状のカム溝５２４２がＸ軸を中心とした円の周方向においてなど間隔となるように複数配置されている。図示の例では、１つ当たり略９０度の角度を有するカム溝５２４２が３６０度の円周に３つ配置されている。各カム溝５２４２には接点保護蓋５２１１の突起５２１５が１つずつ嵌められている。
【０１６４】
図３１（ｂ）においては、カム溝５２４２に嵌められた突起５２１５の取り得る位置が破線の丸で示されている。カム溝５２４２は、略コの字形状の軌跡を有し、閉位置側の押込溝５２７５、開位置側の押込溝５２７６、および開閉用の円周溝５２７７を有している。閉位置側の押込溝５２７５および開位置側の押込溝５２７６はＸ軸に平行な溝であり、接点保護蓋５２１１を押し込む動作を行う際に突起５２１５が通過する。
【０１６５】
開閉用の円周溝５２７７はＸ軸を中心とする円の周方向に平行な溝であり、ユーザーが接点保護蓋５２１１を回転させて開閉する動作を行う際に突起５２１５が通過する。カム溝５２４２を図３１Ｂに示す形状で形成することによって、突起５２１５および接点保護蓋５２１１の移動位置（回転位置）が規制される。そして、接点保護蓋５２１１の並進又は回転移動に伴って、突起５２１５は非装着・閉位置５２７１、非装着・開位置５２７２、装着・閉位置５２７３、および装着・開位置５２７４の各位置を移動する。なお、図３１（ｂ）に示される半押し・閉位置５２７８と半押し・開位置５２７９については後述する。
【０１６６】
図３２は、図３１に示す突起の位置に応じた接点保護蓋の位置を説明するための図である。図３２（ａ）は接点保護蓋が閉まった状態における接点保護蓋の位置を示し、（ｉ）は本体側取付機構に何も装着していない状態を示し、（ｉｉ）は本体側取付機構に電気接点を有さないグリップ（以下「接点無しグリップ」という）を装着した状態を示す。さらに、図３２（ｂ）は接点保護蓋が開いた状態における接点保護蓋の位置を示し、（ｉｉｉ）は、本体側取付機構に何も装着していない状態を示し、（ｉｖ）は本体側取付機構に接点有りグリップが装着された状態を示す。なお、接点無しグリップの詳細については、図３６および図３７を参照して後述する。
【０１６７】
図３２には、突起５２１５が、非装着・閉位置５２７１、非装着・開位置５２７２、装着・閉位置５２７３、そして、装着・開位置５２７４に位置する際の接点保護蓋５２１１の位置が示されている。
【０１６８】
図３２（ａ）の（ｉ）において、突起５２１５は非装着・閉位置５２７１にあり、本体側接点ピン５２５１の先端が接点保護蓋５２１１によって覆われ、撮像装置本体５１０２の外部から本体側接点ピン５２５１を見ることができない。
【０１６９】
図３２（ａ）の（ｉｉ）において、突起５２１５は装着・閉位置５２７３にあり、本体側接点ピン５２５１の先端が接点保護蓋５２１１によって覆われ、撮像装置本体５１０２の外部から本体側接点ピン５２５１を見ることができない。また、接点保護蓋５２１１および接点ブロック５２５２は接点保護蓋５２１１を押し下げる動作によって、図３２（ａ）の（ｉ）の状態と比べて矢印Ｕ１および矢印Ｕ２で示すようにＸ方向に押し下げられた位置にある。
【０１７０】
なお、非装着・閉位置５２７１および非装着・開位置５２７２は、図３１に示す開閉用の円周溝５２７７より局所的に−Ｘ方向に突出した位置である。そして、接点保護蓋バネ５２３１の付勢力によって非装着・閉位置５２７１又は非装着・開位置５２７２で突起５２１５が溝に嵌まる。これによって、突起５２１５を非装着・閉位置５２７１又は非装着・開位置５２７２で安定して保持することができる。
【０１７１】
図３２（ｂ）の（ｉｉｉ）において、突起５２１５は非装着・開位置５２７２にあり、接点保護蓋５２１１の接点露出部５２１３を介して本体側接点ピン５２５１を見ることができる。
【０１７２】
図３２（ｂ）の（ｉｖ）において、接点保護蓋５２１１は接点保護蓋５２１１を押し下げる動作によって、図３２（ｂ）の（ｉｉｉ）に示す状態と比べて矢印Ｕ３で示すようにＸ方向に押し下げられる。その結果、接点保護蓋５２１１の接点露出部５２１３を介して本体側接点ピン５２５１の先端が覗き出た状態となる。
【０１７３】
なお、装着・閉位置５２７３および装着・開位置５２７４では、Ｘ方向において溝の終端を設けていない。このような構造とすることで、装着・閉位置５２７３又は装着・開位置５２７４から突起５２１５を嵌めて組み立てることができる。組み立て後に本体側取付部材５２４１を撮像装置本体５１０２に固定すれば、撮像装置本体５１０２の接触面５２６２（図３０（ａ）参照）によって突起５２１５の移動位置が規制される。よって、突起５２１５がカム溝５２４２から外れることはない。
【０１７４】
また、３組のカム溝５２４２および突起５２１５を、円周上に配置することによって、突起５２１５それぞれの位置に応じた接点保護蓋５２１１の向きが一意に決定される。そして、突起５２１５が非装着・閉位置５２７１にある場合と非装着・開位置５２７２にある場合とで、接点保護蓋５２１１を安定して保持することができる。また、接点保護蓋５２１１を押し下げる動作を行う際に、安定して接点保護蓋５２１１を押し下げることができる。
【０１７５】
［接点パターンを有するグリップの概略］
次に、撮像装置本体５１０２の本体側取付機構５１１１に着脱可能なグリップ５１０４について説明する。
【０１７６】
図３３は、図２９に示すグリップ５１０４（図２８参照）を説明するための図である。図３３（ａ）はグリップ５１０４の外観を示す斜視図であり、図３３（ｂ）はグリップ５１０４が備えるグリップ側取付部５３０７の内部構造を示す断面図である。
【０１７７】
グリップ５１０４はユーザーが手で把持する把持部５３０２を有する。把持部５３０２は、人の手指に沿う形状に形成されている。ベルト５３０３は、締め付けることによってユーザーの手が把持部５３０２から離れるのを防ぐ部材である。
【０１７８】
ボタン５３０４、十字キー５３０５、およびダイヤル５３０６は操作部材であって、電気配線（図示せず）によってグリップ側接点パターン５３１４と接続されている。なお、グリップ５１０４は、グリップ側取付部５３０７を備えて本体側取付機構５１１１に取り付け可能な構造であればよく、その外形が図３３（ａ）に示すものに限定されない。
【０１７９】
グリップ側取付部５３０７は、本体側取付機構５１１１に装着する部分である。グリップ側取付部５３０７を構成する各部材は、本体側取付機構５１１１の各部材と対応する機能を有する。
【０１８０】
グリップ側ねじ５３１１は、本体側ねじ５２６１と螺合するおねじ部である。締付けつまみ５３１２は、グリップ側ねじ５３１１と機械的に接続されており、ユーザーは、締付けつまみ５３１２を回すことによってグリップ側ねじ５３１１を回すことができる。
【０１８１】
グリップ側ロゼット５３１３は、その表面に凹凸が形成された係合部であり、本体側係合部５２４４と係合する。グリップ側ロゼット５３１３の内側にはグリップ側基板５３１７が配置されており、グリップ側基板５３１７には電気接点であるグリップ側接点パターン５３１４が環状に複数形成されている。
【０１８２】
撮像装置本体５１０２にグリップ５１０４を装着することによって、本体側接点ピン５２５１とグリップ側接点パターン５３１４とが接続され、撮像装置本体５１０２とグリップ５１０４との間で電源供給および通信を行うことができる。具体的には、グリップ側接点パターン５３１４は、電気配線（図示せず）によってボタン５３０４、十字キー５３０５、ダイヤル５３０６などの操作部材と接続されている。ユーザーが操作部材のいずれかを操作すると、グリップ側接点パターン５３１４を介して撮像装置本体５１０２に所定の操作指示を送ることができる。
【０１８３】
グリップ側接点パターン５３１４を環状に配置しているため、撮像装置本体５１０２に対してグリップ５１０４をいずれの角度で装着しても、本体側接点ピン５２５１とグリップ側接点パターン５３１４とを電気的に接続することができる。なお、グリップ５１０４の操作部材は、グリップ側接点パターン５３１４と電気的に直接接続されていてもよく、その間に制御回路（不図示）などが介在していてもよい。
【０１８４】
グリップ側当接部５３１５は、グリップ側接点パターン５３１４が配置された面より＋Ｘ方向に突出した部分であり、例えば、グリップ側接点パターン５３１４の外周に配置された環状の凸形状部である。グリップ側当接部５３１５は接点保護蓋５２１１を押し込む動作の際に接点保護蓋５２１１に当接する。
【０１８５】
［接点パターンを有するグリップを撮像装置に装着する際の動作］
次に、撮像装置本体５１０２へのグリップ５１０４の装着について説明する。
【０１８６】
図３４は、図３０に示す本体側取付機構５１１１の接点保護蓋５２１１の回動動作および突起５２１５の位置と、グリップ（接点無しグリップ５１０５（図３６参照）およびグリップ５１０４（図３３））の着脱との関係を説明する図である。なお、図３４の下段部に記載の「グリップ」は、グリップ５１０４を指す。
【０１８７】
図３５は、図３３に示すグリップ５１０４を取り付ける際の本体側取付機構５１１１およびグリップ側取付部５３０７の部材の位置関係を示す図である。図３５（ａ）は、突起５２１５が非装着・閉位置５２７１（図３４の左上）にあるときの接点保護蓋５２１１の位置（初期位置）を示す図である。図３５（ｂ）は突起５２１５が非装着・開位置５２７２（図３４の左下）にあるときの接点保護蓋５２１１の位置を示す図である。図３５（ｃ）は、撮像装置本体５１０２にグリップ５１０４が装着された状態を示す図であり、突起５２１５が装着・開位置５２７４（図３４の右下）にあるときの接点保護蓋５２１１の位置を示す図である。
【０１８８】
本体側取付機構５１１１の接点保護蓋５２１１の初期位置を、図３５（ａ）に示す位置とする。初期位置においては、本体側接点ピン５２５１は接点保護蓋５２１１に覆われて、撮像装置本体５１０２の外部からは見えない状態にある。このとき、接点保護蓋５２１１は接点保護蓋バネ５２３１によって−Ｘ方向に付勢され、突起５２１５は図３１（ｂ）に示すカム溝５２４２内の非装着・閉位置５２７１（図３４の左上）に保持されている。
【０１８９】
次に、ユーザーが撮像装置本体５１０２とグリップ５１０４とを電気的に接続するため、接点保護蓋５２１１を開ける操作を行う。具体的には、接点保護蓋５２１１の指かけ５２１４に指をかけて、接点保護蓋バネ５２３１の付勢力に抗してＸ方向に押しつつ、−Ｘ方向から見て時計回りに回す。この際、接点保護蓋保持部５２２１によって、接点保護蓋５２１１は接点保護蓋バネ５２３１に対してＸ軸の回りに滑らかに回転する。これによって、図３１（ｂ）に示す接点保護蓋５２１１の突起５２１５は非装着・閉位置５２７１から半押し・閉位置５２７８を通過して、開閉用の円周溝５２７７に入る。
【０１９０】
さらに、接点保護蓋５２１１を−Ｘ方向から見て時計回りに略９０度回すと、突起５２１５は引き続き開閉用の円周溝５２７７を通過し、半押し・開位置５２７９を通過して非装着・開位置５２７２に入る。非装着・開位置５２７２に入った突起５２１５は、接点保護蓋バネ５２３１の付勢力によってその位置が保持される。
【０１９１】
図３５（ｂ）においては、突起５２１５が非装着・開位置５２７２にある際の接点保護蓋５２１１の位置が示されている。突起５２１５が非装着・開位置５２７２にある場合には、撮像装置本体５１０２の外側から本体側接点ピン５２５１を見ることができるものの、本体側接点ピン５２５１の先端は接点保護蓋５２１１から突出していない状態にある。
【０１９２】
次に、ユーザーが本体側取付機構５１１１に、グリップ５１０４を装着する操作を行う。具体的には、締付けつまみ５３１２を回してグリップ側ねじ５３１１を本体側ねじ５２６１にねじ込む。これによって、グリップ側当接部５３１５が接点保護蓋５２１１に近付いて当接した後、グリップ側当接部５３１５が接点保護蓋５２１１をＸ方向に押し下げる。その結果、接点保護蓋５２１１の接点露出部５２１３を介して本体側接点ピン５２５１が覗き出て、接点保護蓋５２１１より本体側接点ピン５２５１の先端が相対的に−Ｘ方向に突出した状態となる。
【０１９３】
これによって、図３５（ｃ）に示すように、本体側接点ピン５２５１とグリップ側接点パターン５３１４とが接触して電気的に接続される。図３５（ｃ）には、撮像装置本体５１０２にグリップ５１０４を装着した状態が示されている。このとき、突起５２１５は、図３１（ｂ）に示す開位置側の押込溝５２７６を通って装着・開位置５２７４に移動する。ここで、ユーザー所望の角度でグリップ側ロゼット５３１３と本体側係合部５２４４とを係合させることによって、撮像装置本体５１０２にグリップ５１０４を任意の角度で固定することができる。なお、グリップ側接点パターン５３１４が接点保護蓋５２１１を直接押し込むのではなく、グリップ側当接部５３１５が接点保護蓋５２１１を押し込むようにすることで、グリップ側接点パターン５３１４が摩耗することを防止することができる。
【０１９４】
このように、ユーザーは撮像装置本体５１０２の接点保護蓋５２１１を開けて、グリップ５１０４を任意の取り付け角度で装着することによって、容易に撮像装置５１０１を把持可能な状態にすることができる。また、グリップ５１０４の装着と同時に本体側接点ピン５２５１とグリップ側接点パターン５３１４とが電気的に接続され、撮像装置本体５１０２とグリップ５１０４との間で電源供給および通信を行うことが可能となる。こうして、ユーザーは、グリップ５１０４の操作部材を操作することで、撮像装置本体５１０２に操作指示を送ることが可能になる。
【０１９５】
なお、撮像装置本体５１０２に装着されたグリップ５１０４を取り外す際には、前述の取り付け動作と逆の動作を行えばよい。つまり、ユーザーが締付けつまみ５３１２を回してグリップ側ねじ５３１１を緩めると、グリップ５１０４が取り外されると同時に接点保護蓋５２１１の突起５２１５が非装着・開位置５２７２に移動する。続いてユーザーが接点保護蓋５２１１を−Ｘ方向から見て反時計回りに略９０度回すと、突起５２１５が非装着・閉位置５２７１に移動して、接点保護蓋５２１１が本体側接点ピン５２５１の先端を覆う。これにより、本体側取付機構５１１１の外側から本体側接点ピン５２５１が見ることができない状態となる。
【０１９６】
［接点パターンを備えないグリップを撮像装置本体に装着する際の動作］
次に、撮像装置本体５１０２に電気接点を有さないグリップ（以下「接点無しグリップ５１０５」という）を装着する際の動作について説明する。
【０１９７】
図３６は、撮像装置本体５１０２に着脱可能な接点無しグリップ５１０５の外観を示す斜視図である。
【０１９８】
接点無しグリップ５１０５は、グリップ５１０４と同様に把持部５３０２およびグリップ側取付部５３０７を備えている。なお、接点無しグリップ５１０５に、ボタン、十字キー、およびダイヤルなどの操作部を設けてもよい。この場合、ケーブル（図示せず）によって撮像装置本体５１０２と接点無しグリップ５１０５とを接続することで、撮像装置本体５１０２から接点無しグリップ５１０５への給電と、撮像装置本体５１０２と接点無しグリップ５１０５の間での通信を行うことができる。
【０１９９】
図３７は、撮像装置本体５１０２に接点無しグリップ５１０５を取り付ける際の、本体側取付機構５１１１とグリップ側取付部５３０７の構成部材の位置関係を示す図である。図３７（ａ）は初期状態（非装着・閉位置）を示す図であり、図３７（ｂ）は撮像装置本体５１０２に接点無しグリップ５１０５が装着された状態（装着・閉位置）を示す図である。
【０２００】
まず、接点保護蓋５２１１が図３７（ａ）に示す初期位置にあるとする。この場合、グリップ５１０４を装着する場合と同様に、本体側接点ピン５２５１は、接点保護蓋５２１１に覆われて、突起５２１５がカム溝５２４２の非装着・閉位置５２７１に保持されている。また、接点保護蓋５２１１が初期位置にある場合、接点保護蓋当接部５２１６のＸ方向側に接点ブロック５２５２が配置された状態となる。
【０２０１】
次に、ユーザーは、接点保護蓋５２１１を開ける操作を行わずに、撮像装置本体５１０２の本体側取付機構５１１１に接点無しグリップ５１０５を取り付ける操作を行う。具体的には、締付けつまみ５３１２を回すと、グリップ側ねじ５３１１と本体側ねじ５２６１とが螺合し、グリップ側当接部５３１５が接点ブロックバネ５２５３の付勢力に抗して接点保護蓋５２１１を＋Ｘ方向に押し下げる。これと同時に、接点保護蓋当接部５２１６によって接点ブロック５２５２が＋Ｘ方向に押し下げられる。
【０２０２】
この際、突起５２１５は、図３１（ｂ）に示す閉位置側の押込溝５２７５を通過して、装着・閉位置５２７３に移動する。本体側係合部５２４４とグリップ側ロゼット５３１３とが係合するまでグリップ側ねじ５３１１を締め込むと、撮像装置本体５１０２に対する接点無しグリップ５１０５の回転が抑制される。こうして、図３７（ｂ）に示すように、撮像装置本体５１０２に接点無しグリップ５１０５が装着された状態となる。
【０２０３】
このように、ユーザーは撮像装置本体５１０２の接点保護蓋５２１１を閉めた状態を維持して、接点無しグリップ５１０５を取り付けることができ、その際に、本体側接点ピン５２５１の先端が他の部材と触れるのを防止することができる。
【０２０４】
なお、グリップ側当接部５３１５が特異な形状をしているか又はグリップ側ねじ５３１１の近傍までグリップ側ロゼット５３１３の凹凸形状部が形成されていることがある。このような場合には、接点保護蓋５２１１を閉めた状態で接点無しグリップ５１０５を装着することによって、本体側接点ピン５２５１に意図しない外力が加わって、本体側接点ピン５２５１が破壊されることを防止することができる。
【０２０５】
撮像装置本体５１０２から接点無しグリップ５１０５を取り外す際には、前述の取り付け動作と逆の動作を行えばよい。ここでは、ユーザーが締付けつまみ５３１２を回してグリップ側ねじ５３１１を緩めると、接点無しグリップ５１０５が取り外されるとともに、接点保護蓋５２１１の突起５２１５が非装着・閉位置５２７１に移動する。
【０２０６】
［指などの接触に対する保護］
ここで、接点保護蓋５２１１による本体側接点ピン５２５１の保護機能について説明する。
【０２０７】
本体側取付機構５１１１を介して撮像装置本体５１０２のアクセサリなどを装着しない場合には、接点保護蓋５２１１を閉めて、非装着・閉位置５２７１（前述の初期位置）に保持する。これにより、本体側接点ピン５２５１は接点保護蓋５２１１で覆われた状態となるため、指などが本体側接点ピン５２５１に直接触れることを防止することができる。
【０２０８】
接点保護蓋５２１１が非装着・閉位置５２７１にある際に、指又は他の装置によって意図せず接点保護蓋５２１１が押し込まれてしまったとする。この場合には、前述の接点無しグリップ５１０５を撮像装置に装着する際の動作と同様に、接点保護蓋当接部５２１６によって接点ブロック５２５２が押し込まれる。これにより、接点ブロック５２５２および本体側接点ピン５２５１がＸ方向側に退避するので、本体側接点ピン５２５１の先端が他の部材と触れることはない。
【０２０９】
また、本体側取付機構５１１１にグリップ５１０４などを装着しようとして接点保護蓋５２１１が非装着・開位置５２７２にあるとする。この場合には、撮像装置本体５１０２の外部から本体側接点ピン５２５１を見ることができるものの、接点保護蓋バネ５２３１の付勢力によって本体側接点ピン５２５１の先端は接点保護蓋５２１１から突出していない。このため、グリップ５１０４が装着されていない状態で指又は他の装置などが接点保護蓋５２１１に触れても、接点保護蓋５２１１が押し込まれなければ、本体側接点ピン５２５１に接触することはないため、本体側接点ピン５２５１の損傷は防止される。
【０２１０】
このように、ユーザーの指又は他の装置などが意図せず本体側取付機構５１１１に触れた場合でも、接点保護蓋５２１１によって、指又は他の装置などが本体側接点ピン５２５１の先端を直接触れることがない。その結果、例えば、指が本体側接点ピン５２５１に接触して被膜が形成されることに起因する接触不良の発生を防ぐことができる。
【０２１１】
同様に、他の装置が本体側接点ピン５２５１に接触することによる本体側接点ピン５２５１が損傷するのを防ぐことができる。
【０２１２】
［接点パターンを有するグリップを電源供給および通信を行わずに撮像装置本体に装着する際の動作］
ところで、ユーザーによっては、撮像装置５１０１を把持するためにグリップ５１０４を用いるが、誤操作防止などのためボタン５３０４、十字キー５３０５、およびダイヤル５３０６などの操作部材を操作したくない場合がある。また、グリップ５１０４における電力消費を抑えるため、撮像装置本体５１０２とグリップ５１０４とを機械的に接続しても電気的には接続したくない場合がある。
【０２１３】
このような場合、前述の接点無しグリップ５１０５を撮像装置本体５１０２に装着する際の動作と同様の手法で、撮像装置本体５１０２にグリップ５１０４を装着すればよい。具体的には、接点保護蓋５２１１を閉めた状態でグリップ５１０４を装着する。これによって、ユーザーはグリップ５１０４によって撮像装置５１０１を容易に把持できるが、本体側接点ピン５２５１はグリップ側接点パターン５３１４と電気的に接触しない。
【０２１４】
このため、グリップ５１０４の操作部材を操作しても撮像装置本体５１０２に操作指示は送られないため、撮像装置５１０１の誤動作を防止することができる。そして、撮像装置本体５１０２からグリップ５１０４に給電が行われないので、消費電力を低減することができる。
【０２１５】
［第１の実施形態における接点保護構造の第３の変形例］
次に、本発明の第１の実施形態における撮像装置本体１０００の本体側取付機構１２００の第３の変形例について説明する。
【０２１６】
［第３の接点保護構造の概略］
まず、本発明の第１の実施形態による撮像装置本体の本体側取付機構およびグリップのグリップ側取付機構に関して接点保護構造の別の形態について説明する。
【０２１７】
図３８は、本発明の第１の実施形態の第３の変形例による撮像装置本体６００１に備えられた本体側取付機構６１８０を分解して示す斜視図である。
【０２１８】
図３８には撮像装置本体６００１の全体を示していないが、ここでは、Ｚ軸を撮像装置本体６００１の前後方向（不図示の正面レンズ側を＋Ｚ方向）としている。また、Ｙ軸を撮像装置本体６００１の上下方向（上面側を＋Ｙ方向）とし、Ｘ軸を撮像装置本体６００１の左右方向（不図示の撮影レンズを正面から見て右側面側を＋Ｘ方向）としている。
【０２１９】
撮像装置本体６００１に取り付けられた本体側取付板金６１１２には本体側接点ピン６１１０（第１の電気接点）から電気信号を送受信するＦＰＣ６１１１を挿通すための切欠き部６１１４が設けられている。また、撮像装置本体６００１には、略円環状の形状を有する保護蓋６１０５をグリップ６００３の取り付け側である−Ｘ方向に付勢するための保護蓋バネ６１０８（第１の付勢部材）を収納するバネ収納部６１１３が設けられている。
【０２２０】
保護蓋６１０５は、本体側取付部材６１１９の内側をＸ方向に移動可能であり、保護蓋６１０５の外周はロックレバー６１０３ａ〜６１０３ｃ（ロック部材）の係合部６１２５（図４１及び図４２参照）と係合して所定の位置に支持される。また、ロックレバー６１０３ａ〜６１０３ｃはロックバネ６１０４ａ〜６１０４ｃによって保護蓋６１０５の中心軸Ｉ（図４１参照）に向かう方向（以下「中心軸方向」という）に付勢される。さらに、本体側取付部材６１１９の表面には凹凸形状を有する係合部である本体側係合部６１０１（第１の係合部）が設けられている。
【０２２１】
本体側接点ピン６１１０は接点保持部６１０９に対してＸ方向に移動可能に取り付けられており（図４３および図４４参照）、本体側接点ピン６１１０は保護蓋６１０５の接点露出部６１０６の投影上に配置される。そして、本体側係合部６１０１は、接点保持部６１０９とともにビス６１０２ａ〜６１０２ｃによって本体側取付板金６１１２に固定される。
【０２２２】
図３９は、本発明第１の実施形態によるグリップに配設されたグリップ側取付機構を説明するための図である。図３９（ａ）はグリップ側取付機構の外観を示す斜視図であり、図３９（ｂ）はグリップ側取付機構の分解斜視図である。
【０２２３】
グリップ側取付部材６３１１は、本体側取付部材６１１９と同様に、その表面に凹凸形状を有する係合部であるグリップ側係合部６３０１（第２の係合部）を備えている。グリップ側取付部材６３１１はグリップねじ６３０２ａ〜６３０２によってグリップ側取付板金６３０６に固定される。
【０２２４】
グリップ側取付部材６３１１の中心には接点パターン６３０３（第２の電気接点）が形成された円形状のグリップ側基板６３０４を取り付ける凹部６３０７が設けられている。そして、グリップ側基板６３０４は、例えば、両面テープなどで凹部６３０７に固定される。また、グリップ側係合部６３０１およびグリップ側基板６３０４の中心にはそれぞれ、撮像装置本体６００１にグリップ６００３を固定するためのグリップ固定ねじ６０１０（第２のねじ部）を挿通するためのねじ挿通穴６３１０、および６３１２が形成されている。
【０２２５】
グリップ側取付部材６３１１において、グリップ側係合部６３０１の内周と凹部６３０７の外周との間には円周状の凸部６３０５が設けられており、凸部６３０５はグリップ側係合部６３０１の凹凸形状部よりも本体側（＋Ｘ方向側）に突出している。凸部６３０５は、グリップ６００３を撮像装置本体６００１に装着する際に本体側係合部６１０１の内壁に挿入され、所定の位置に支持された保護蓋６１０５を撮像装置本体６００１の内側（＋Ｘ方向）に付勢する。
【０２２６】
次に、グリップ６００３の撮像装置本体６００１に対する装着について説明する。
【０２２７】
図４０は、図３８に示す本体側係合部６１０１を示す図である。また、図４１は、図３８に示す撮像装置本体６００１と図３９に示すグリップ６００３とが未接続の状態の、図４０に示すＡＡ−ＡＡ線に沿った断面図である。そして、図４２は、図３９に示すグリップ６００３の凸部６３０５が撮像装置本体６００１の本体側係合部６１０１の内壁に挿入されてロックレバー６１０３ａ〜６１０３ｃに当接した状態を示す、図４０のＡＡ−ＡＡ線に沿った断面図である。
【０２２８】
図４３は、図３９に示すグリップ６００３の凸形状部６００５が保護蓋６１０５を撮像装置本体６００１側に押し込んで本体側接点ピン６１１０と接点パターン６３０３が接触した状態を示す、図４０のＡＡ−ＡＡ線に沿った断面図である。図４４は、グリップ固定ねじ６０１０（第２のねじ部）によってグリップ６００３を撮像装置本体６００１に締め付けた状態を示す、図４０のＡＡ−ＡＡ線に沿った断面図である。
【０２２９】
図４１に示すように、撮像装置本体６００１に対してグリップ６００３が未接続状態では、保護蓋６１０５は保護蓋バネ６１０８により−Ｘ方向に付勢されている。また、ロックレバー６１０３ａ〜６１０３ｃは、保護蓋６１０５との係合位置にある。つまり、保護蓋６１０５は、外周から中心方向にロックバネ６１０４ａ〜６１０４ｃによって中心軸方向に付勢されたロックレバー６１０３ａ〜６１０３ｃと係合している。そのため、保護蓋６１０５に＋Ｘ方向に外力が加わっても、保護蓋６１０５は＋Ｘ方向に押し込まれない。さらに、伸縮可能な本体側接点ピン６１１０は保護蓋６１０５から突出していない。
【０２３０】
図４２において、グリップ６００３を撮像装置本体６００１側であるＸ方向（矢印Ｖ方向）に押し込むと、グリップ６００３の凸部６３０５によってロックレバー６１０３ａ〜６１０３ｃが外周側（矢印Ｗ方向）に押される。これによって、ロックレバー６１０３ａ〜６１０３ｃの係合部６１２５は保護蓋６１０５から外れる。
【０２３１】
さらに、グリップ６００３を＋Ｘ方向に押し込んで、凸部６３０５に押し込まれたロックレバー６１０３ａ〜６１０３ｃが外周側に完全に退避すると、保護蓋６１０５は凸部６３０５によって＋Ｘ方向に押し込み可能な状態となる。よって、グリップ６００３をさらに＋Ｘ方向に押し込むと、保護蓋６１０５が＋Ｘ方向に押し込まれて、本体側接点ピン６１１０が接点露出部６１０６を通じて保護蓋６１０５の面ｓから突出する。
【０２３２】
本体側接点ピン６１１０が突出すると、図４３に示すように、グリップ６００３の接点パターン６３０３と本体側接点ピン６１１０とが接触する。そして、グリップ６００３に設けられたグリップ固定ねじ６０１０を撮像装置本体６００１に設けられた本体側ねじ６１１６（第１のねじ部）に締め込むと、図４４に示す状態となる。
【０２３３】
図４４に示す状態においては、本体側接点ピン６１１０は、接点パターン６３０３によって＋Ｘ方向にΔＬだけ押し込まれて付勢された状態で、接点パターン６３０３との電気的接触を維持している。
【０２３４】
次に、上記の本体側接点ピン６１１０と接点パターン６３０３とのセルフクリーニングについて説明する。
【０２３５】
図４５は、本体側接点ピン６１１０と接点パターン６３０３とのセルフクリーニングを説明するための図である。図４５（ａ）および図４５（ｂ）は本体側係合部６１０１を示す図であり、図４５（ｃ）および図４５（ｄ）はグリップ側係合部６３０１を示す図である。なお、図４５（ａ）および図４５（ｃ）は正面図であり、図４５（ｂ）および図４５（ｄ）は斜視図である。
【０２３６】
本体側係合部６１０１およびグリップ側係合部６３０１にはそれぞれ角度α毎に凹形状部と凸形状部とが設けられている。そして、本体側係合部６１０１とグリップ側係合部６３０１の間で、対向する凹形状部と凸形状部とが互いに噛み合うことで、Ｘ軸の回りの回転が抑制されて、係合位置が決められる。また、本体側係合部６１０１の凹凸形状部、即ち、本体側凹形状部６５０１と本体側凸形状部６５０２は、本体側係合部６１０１の中心から放射状に形成されている。同様に、グリップ側係合部６３０１の凹凸形状部、即ち、グリップ側凹形状部６６０１とグリップ側凸形状部６６０２は、グリップ側係合部６３０１の中心から放射状に形成されている。
【０２３７】
図４６は、図４５に示す本体側係合部６１０１とグリップ側係合部６３０１とが係合する前の状態を示す図である。図４６（ａ）は本体側凸形状部６５０２とグリップ側凸形状部６６０２とが接触した状態を示す図であり、図４６（ｂ）は図４６（ａ）に示す状態において本体側接点ピン６１１０と接点パターン６３０３とが当接した状態を破断して示す斜視図である。
【０２３８】
本体側凸形状部６５０２とグリップ側凸形状部６６０２が接触する図４６の状態において、本体側接点ピン６１１０と接点パターン６３０３とが接触する。換言すると、グリップ６００３の撮像装置本体６００１への装着時には、本体側接点ピン６１１０と接点パターン６３０３とが接触すると同時に又は接触後に本体側凸形状部６５０２とグリップ側凸形状部６６０２が当接する。この際、本体側接点ピン６１１０と接点パターン６３０３との位置関係は、図４３で説明した関係に相当する。
【０２３９】
図４６の状態からグリップ固定ねじ６０１０を締め込むと、本体側凸形状部６５０２とグリップ側凹形状部６６０１とが噛み合って、接点パターン６３０３と本体側接点ピン６１１０の間隔がＸ方向に最大Ｍだけ縮まる。
【０２４０】
図４７は、図４５に示す本体側係合部６１０１とグリップ側係合部６３０１とが係合した状態を示す図である。図４７（ａ）は、本体側凸形状部６５０２とグリップ側凹形状部６６０１とが接触した状態を示す図である。図４７（ｂ）は、図４７（ａ）に示す状態において本体側接点ピン６１１０と接点パターン６３０３とが当接した状態を示す断面図である。
【０２４１】
上述のように、接点パターン６３０３と本体側接点ピン６１１０の間隔がＸ方向に最大Ｍだけ縮まると、図４７に示す状態となる。
【０２４２】
前述のように、本体側凹形状部６５０１および本体側凸形状部６５０２とグリップ側凹形状部６６０１およびグリップ側凸形状部６６０２とは、それぞれ、中心から複数の放射状に設けられている。このため、本体側係合部６１０１およびグリップ側係合部６３０１の直線方向の移動のみで、本体側凹形状部６５０１とグリップ側凸形状部６６０２とを係合させることは容易ではない。よって、本体側凹形状部６５０１とグリップ側凸形状部６６０２とが係合する（本体側凸形状部６５０２とグリップ側凹形状部６６０１が係合する）ためには、本体側係合部６１０１とグリップ側係合部６３０１をＸ軸まわりに相対的に回転させる必要がある。
【０２４３】
つまり、図４６に示す状態から図４７に示す状態に移行するためには、グリップ側係合部６３０１を角度αだけ円周方向に回転させる必要がある。この回転によって、グリップ側係合部６３０１に固定されたグリップ側基板６３０４に形成された接点パターン６３０３が回動する。こうして、本体側接点ピン６１１０と接点パターン６３０３とが接触した状態で接点パターン６３０３が角度αだけ摺動することで、本体側接点ピン６１１０と接点パターン６３０３の接点とが擦れてセルフクリーニングが実行される。
【０２４４】
このように、撮像装置本体６００１は、グリップ６００３が未装着の状態においては、本体側接点ピン６１１０が保護蓋６１０５から突出することがなく、保護蓋６１０５が所定の位置に固定される。よって、指又は他の装置などが保護蓋６１０５に触れても本体側接点ピン６１１０に接触することがない。これによって、意図しない接触により形成される被膜に起因する本体側接点ピン６１１０の接触不良の発生や、意図しない他の装置との接触による本体側接点ピン６１１０の破壊を防ぐことができる。
【０２４５】
さらに、グリップ６００３を撮像装置本体６００１に装着すると、本体側接点ピン６１１０と接点パターン６３０３とが擦れてセルフクリーニングされる。よって、あえて別の手法や機構を用いることなく、本体側接点ピン６１１０と接点パターン６３０３の電気接続の信頼性を確保することができる。
【０２４６】
［第２の実施形態］
続いて、本発明の第２の実施形態による撮像装置の一例について説明する。
【０２４７】
図４８は、本発明の第２の実施形態による撮像装置７００１を正面側から示す斜視図である。また、図４９は、撮像装置７００１を背面側から示す斜視図である。
【０２４８】
なお、ここでは、図示のように座標系を規定し、後述する撮影レンズ側から見た面（図４８において＋Ｚ方向から見た面）を正面、正面と対向する面を背面、正面から見て右側の面を右側面、正面から見て左側の面を左側面とする。また、正面から見て上側の面を上面とし、正面から見て下側の面を底面とする。そして、撮影レンズの中心を通るＺ方向の軸を光軸とする。
【０２４９】
撮像装置７００１は、撮像装置本体７００２、撮影レンズ７００３、およびグリップ７００４を備えている。撮像装置本体７００２は、撮像素子、基板、および記録媒体など（ともに図示せず）などを備える。
【０２５０】
撮像素子として、ＣＣＤセンサ又はＣＭＯＳセンサなどが用いられ、撮像素子は撮影レンズ７００３を介して結像した光学像に応じた画像信号を出力する。基板は、撮像装置本体７００２と撮像装置本体７００２に接続されるアクセサリなどを制御する。基板上には、例えば、被写体の撮像によって得られた画像信号に対して所定の画像処理を行う画像処理ＩＣおよびシステム制御ＩＣ（ともに図示せず）が実装されており、撮像素子から出力された画像信号に各種の信号処理を施して映像データなどを生成する。
【０２５１】
記録媒体は、画像処理ＩＣおよびシステム制御ＩＣによって処理された映像データや音声データを記憶する媒体であり、例えば、不揮発性メモリ又はハードディスクドライブが用いられる。
【０２５２】
図５０は、撮像装置７００１からグリップ７００４を取り外した状態を正面側から示す斜視図である。また、図５１は、撮像装置７００１からグリップ７００４を取り外した状態を背面側から示す斜視図である。
【０２５３】
撮像装置本体７００２の右側面には、グリップ７００４などのアクセサリを取り付けることが可能な本体側取付機構７００５（図５０および図５１に示す破線で囲まれた領域）が設けられている。
【０２５４】
［本体側取付機構の構成］
図５２Ａは図５０に示す本体側取付機構７００５を部分的に拡大して示す図であり、図５２Ｂは図５２Ａに示すＧ−Ｇ線に沿った断面図である。また、図５２Ｃは図５２Ｂに示す断面図の一部を拡大して示す図である。なお、図５２Ｃは、図５２Ｂに示す二点鎖線で囲んだ領域７０１７を拡大して示している。
【０２５５】
図５３は、図５０に示す本体側取付機構７００５の分解斜視図である。
【０２５６】
まず、図５２Ａおよび図５３を参照して、本体側螺合部材７００６は、グリップ７００４の後述するグリップ側螺合部材７１０１と螺合するためのねじ７０１５を備えている。図示の例では、ねじ７０１５は中心軸７０１６を中心とする雄ねじである。
【０２５７】
本体側取付部材７００７は、略円盤状の外形に成形されており、中心から放射状に凸形状部および凹形状部が所定のピッチで配置された本体側係合部７００８を備えている。なお、このような形状を有する部材は、一般にロゼットと呼ばれている。
【０２５８】
本体側係合部７００８は同様の凸形状部と凹形状部を有するグリップ側係合部７１０４と係合してグリップ７００４の回動を規制する。
【０２５９】
本体側螺合部材７００６および本体側取付部材７００７は、中心軸７０１６を同一中心としてビス７０１３によって撮像装置本体７００２の内部に配置された本体側取付板金７００９に固定される。
【０２６０】
本体側接点ピン７０１０は、撮像装置本体７００２とグリップ７００４との間で電源供給および通信を行うための電気接点である。本体側接点ピン７０１０は本体側係合部７００８の中心から本体側係合部７００８の径方向に所定の間隔で複数個配設され、グリップ側接点パターン７１０３と電気的に接続される。本体側接点ピン７０１０において、各ピンに対して所定の機能が割り当てられており、本体側接点ピン７０１０は、例えば、電源端子、通信端子、および接地端子として機能する。
【０２６１】
撮像装置本体７００２に配置された制御回路は、本体側接点ピン７０１０を介してグリップ７００４に対して電源供給を行うとともに、グリップ７００４と通信を行うことができる。
【０２６２】
本体側接点ピン７０１０は、接点ブロック７０１８に収容された圧縮バネ（図示せず）によって撮像装置本体７００２から突出する方向（−Ｘ方向）に付勢される。これにより、グリップ７００４が撮像装置本体７００２と結合した際に所定の接触圧が確保される。
【０２６３】
接点ブロック７０１８に収容された本体側接点ピン７０１０は、後述するグリップ側接点パターン７１０３と接触する側と反対の一端が本体側基板７０１１と半田付けなどによって電気的に接続される。本体側基板７０１１は電気配線（図示せず）によって本体側制御基板（図示せず）と電気的に接続される。
【０２６４】
本体側基板７０１１はビス７０１４によって本体側取付板金７００９に固定され、本体側接点ピン７０１０は本体側螺合部材７００６に挿通される。そして、本体側接点ピン７０１０は本体側係合部７００８の内周側に設けられた接点露出部７０１２から撮像装置本体７００２の外部に露出する。
【０２６５】
図５２Ａおよび図５２Ｂに示すように、本体側螺合部材７００６は本体側係合部７００８の外周側に配置されている。接点露出部７０１２は本体側係合部７００８よりも内周側に形成されている。つまり、本体側接点ピン７０１０は本体側係合部７００８よりも内周側に配置され、撮像装置本体７００２の外部に−Ｘ方向に露出している。このとき、本体側係合部７００８に設けられた凹凸形状部の凹部の最も深い位置との間で所定のクリアランス（図５２Ｃに示す符号Ｔ１）が確保されるように、本体側接点ピン７０１０先端および本体側係合部７００８の凹部が設計されている。つまり、本体側接点ピン７０１０先端は本体側係合部７００８の凹部の最も深い位置より外側へ突出しない構造となっている。
【０２６６】
［グリップの構成］
図５４は、グリップ７００４を背面側から示す斜視図である。図５５はグリップ７００４の分解斜視図である。図５６はグリップ７００４における撮像装置本体７００２との取付部周辺を部分的に示す断面図である。
【０２６７】
グリップ７００４は、ユーザーが撮像装置本体７００２を把持しつつ撮影する行為を容易にするため、撮像装置本体７００２に対して着脱可能なアクセサリの一種である。なお、撮像装置本体７００２に取り付けるアクセサリは、本体側取付機構７００５に取り付け可能な構造を有していればグリップ７００４には限定されない。
【０２６８】
グリップ７００４においては、外装部材７１０６は基板、電気的配線部材、および構造部材（ともに図示せず）を内包しており、ユーザーが把持する部分、押しボタンおよびダイヤルなどの操作部が露出する部分などを有している。外装部材７１０６の一部には、グリップ側螺合部材７１０１が回動可能に嵌合する円筒突部７１０９が設けられている。そして、円筒突部７１０９の＋Ｘ方向の先端には、接点パターン保持部材７１１２が収納される嵌合凹部７１１７が複数個所設けられている。
【０２６９】
グリップ側螺合部材７１０１は、本体側螺合部材７００６と螺合するためのねじ７１０５を当該部材の内周側面に備えている。図示の例では、本体側螺合部材７００６の雄ねじに螺合するため、グリップ側螺合部材７１０１のねじ７１０５は雌ねじとされる。また、グリップ側螺合部材７１０１は内周嵌合部７１０８を有している。そして、グリップ側螺合部材７１０１は外装部材７１０６に設けられた円筒突部７１０９の外周面と嵌合して、回転軸７１１０を中心として外装部材７１０６に対して回動可能である。
【０２７０】
グリップ側螺合部材７１０１は圧縮コイルバネで構成された付勢部材７１１１によって、後述するグリップ側取付部材７１０２の側（＋Ｘ方向）に常時付勢される。付勢部材７１１１は外装部材７１０６とグリップ側螺合部材７１０１との間に圧縮された状態で狭持されている。
【０２７１】
グリップ側取付部材７１０２は、本体側取付部材７００７と同様に、円盤状の外形に成形され、その中心から放射状に形成された凹凸形状を有するグリップ側係合部７１０４を備えている。グリップ側係合部７１０４は本体側係合部７００８と係合して、グリップ７００４の回転軸７１１０の中心とする回動を規制する。グリップ側取付部材７１０２はグリップ側取付板金７１０７にビス７１１８によって固定されている。グリップ側取付板金７１０７はグリップ７００４の外装部材７１０６内にビス７１１９によって固定されている。
【０２７２】
グリップ側接点パターン７１０３は、撮像装置本体７００２の本体側接点ピン７０１０と電気的に接続するための電気接点であり、基板上に同心円状に形成されている。また、グリップ側接点パターン７１０３は、グリップ７００４の外装部材７１０６に内包された基板（不図示）および配線部材（不図示）によって電気的に接合されている。そして、本体側接点ピン７０１０とグリップ側接点パターン７１０３とが接続されることによって、撮像装置本体７００２とグリップ７００４との間で電源供給および通信を行うことが可能になる。
【０２７３】
なお、グリップ側接点パターン７１０３は、例えば、成型回路部品（ＭＩＤ）で構成されている。グリップ側取付部材７１０２をグリップ側接点パターン７１０３と接点パターン保持部材７１１２とで挟み込むようして、グリップ側接点パターン７１０３は接点パターン保持部材７１１２にビス７１２０で結合されている。
【０２７４】
図５５に示すように、接点パターン保持部材７１１２は嵌合円筒部７１１３と、当該嵌合円筒部７１１３から放射状に複数延びる延出部７１１４とを備えている。嵌合円筒部７１１３はグリップ側取付部材７１０２の最内周に設けられた貫通穴７１１５と嵌合する。接点パターン保持部材７１１２の延出部７１１４とグリップ側取付部材７１０２との間には、バネ７１１６が押し縮められた状態で収納されている。これによって、接点パターン保持部材７１１２と結合したグリップ側接点パターン７１０３をグリップ側取付部材７１０２側に付勢する方向（−Ｘ方向）に荷重が加えられる。
【０２７５】
接点パターン保持部材７１１２の延出部７１１４は、円筒突部７１０９の先端に設けられた嵌合凹部７１１７にＸ方向において所定のストローク分並進動作ができるように収納されている。グリップ側接点パターン７１０３と接点パターン保持部材７１１２とはビス７１２０で結合されているので、２つの部材が一体となって動作することになる。
【０２７６】
［グリップ装着手順］
次に、撮像装置本体７００２に対して、グリップ７００４を装着する際の機械的接続および電気接続について説明する。
【０２７７】
図５７Ａは、図４８に示す撮像装置本体７００２にグリップ７００４を装着する前の状態を部分的に示す断面図である。図５７Ｂは、撮像装置本体７００２にグリップ７００４を装着する途中の状態を部分的に示す部分断面図である。図５７Ｃは、撮像装置本体７００２にグリップ７００４を装着した状態を部分的に示す断面図である。図５７Ｄは、本体側係合部とグリップ側係合部とが接触した状態を部分的に示す断面図である。
【０２７８】
図５７Ａに示すように、撮像装置本体７００２にグリップ７００４を取り付ける際には、本体側螺合部材７００６およびグリップ側螺合部材７１０１の双方の位置を合わせる。そして、グリップ７００４を撮像装置本体７００２側に（矢印Ａ方向（＋Ｘ方向））に押し付ける。グリップ７００４は、図５７Ａに示す状態では、撮像装置本体７００２に固定されておらず、電気的にも接続されていない。
【０２７９】
撮像装置本体７００２に対してグリップ７００４を、図５７Ａに示す矢印Ａ方向（＋Ｘ方向）に押し付けると、図５７Ｂに示すように、本体側係合部７００８とグリップ側係合部７１０４とを係合させた状態となる。
【０２８０】
本体側係合部７００８とグリップ側係合部７１０４とが係合することによって、グリップ７００４の撮像装置本体７００２に対する取付角度が定まる。その際、本体側係合部７００８およびグリップ側係合部７１０４は放射状に形成されているので、撮像装置本体７００２にグリップ７００４を固定する前にグリップ７００４を任意の角度とすることができる。
【０２８１】
図５７Ｂの状態では、接点パターン保持部材７１１２に固定されたグリップ側接点パターン７１０３は、バネ７１１６の作用によってグリップ側取付部材７１０２側（−Ｘ方向）に付勢されている。このため、グリップ側接点パターン７１０３は、グリップ側係合部７１０４の凹部よりも低い位置に配置されることになる。一方、本体側接点ピン７０１０は本体側係合部７００８の凹部よりも低い位置に設けられている。そのため、図５７Ｂに示す状態では、本体側係合部７００８とグリップ側係合部７１０４とは係合しているものの、本体側接点ピン７０１０とグリップ側接点パターン７１０３とは離間しているので、電気的に接続されていない。
【０２８２】
上述の構成によって、本体側係合部７００８とグリップ側係合部７１０４とを係合させる際に、本体側接点ピン７０１０とグリップ側接点パターン７１０３それぞれの対向する係合部が互いに不用意に接触することを防ぐことができる。
【０２８３】
グリップ７００４を矢印Ａ方向（＋Ｘ方向）に押し付けた状態でグリップ側螺合部材７１０１を、図５７Ｂに示す矢印Ｂ方向（−Ｘ方向から見て時計回りの方向）に回転させることによって、図５７Ｃに示す状態となる。図５７Ｃに示す状態では、本体側係合部７００８とグリップ側係合部７１０４とが係合し、本体側螺合部材７００６にグリップ側螺合部材７１０１が螺合しており、グリップ７００４はガタつきなく撮像装置本体７００２に強固に固定されている。
【０２８４】
グリップ側螺合部材７１０１を矢印Ｂ方向（図５７Ｂ参照）に回転させると、接点パターン保持部材７１１２に設けられた延出部７１１４とグリップ側螺合部材７１０１とが接触する。さらにグリップ側螺合部材７１０１を矢印Ｂ方向に回転させると図５７Ｂに示す矢印Ａ方向に接点パターン保持部材７１１２が移動する。この結果、接点パターン保持部材７１１２に結合されたグリップ側接点パターン７１０３が矢印Ａ方向に押し込まれる。矢印Ａ方向に押し込まれたグリップ側接点パターン７１０３は撮像装置本体７００２の本体側接点ピン７０１０と接触し、電気的に接続される。つまり、撮像装置本体７００２にグリップ７００４が強固に固定されるととともに、容易に両者を電気的に接続することができる。さらに、撮像装置本体７００２とグリップ７００４とが強固に固定された状態で電気接続が行われるので、信頼性の高い電気接続を確保することができる。
【０２８５】
グリップ７００４を撮像装置本体７００２から取り外す際には、図５７Ａ乃至図５７Ｃで説明した取り付ける動作と逆の動作を行えばよい。つまり、まず、グリップ側螺合部材７１０１を矢印Ｂ方向と反対方向に回してグリップ側螺合部材７１０１を弛める。これによって、バネ７１１６の付勢力によって接点パターン保持部材７１１２が矢印Ａ方向の反対方向に移動する。その結果、接点パターン保持部材７１１２に結合されたグリップ側接点パターン７１０３がグリップ側螺合部材７１０１の動作に連動して本体側接点ピン７０１０から離間する。
【０２８６】
その結果、撮像装置本体７００２とグリップ７００４とは電気的に接続されなくなる。且つ、グリップ側螺合部材７１０１が本体側螺合部材７００６から外れて、撮像装置本体７００２とグリップ７００４とが固定されなくなる。そして、矢印Ａ方向の反対方向にグリップ７００４を引き離すことによって、グリップ７００４を撮像装置本体７００２から取り外すことができる。
【０２８７】
次に、撮像装置本体７００２に対してグリップ７００４を斜めから近接させた場合について説明する。
【０２８８】
図５７Ｄには、撮像装置本体７００２に対してグリップ７００４を斜め方向から近接させて本体側係合部７００８とグリップ側係合部７１０４とが接触した状態が示されている。
【０２８９】
撮像装置本体７００２に対してグリップ７００４を斜めから近接させた場合、まずグリップ７００４のグリップ側螺合部材７１０１が撮像装置本体７００２の本体側螺合部材７００６に接触する。この状態で、グリップ７００４を撮像装置本体７００２に装着しようとしても、本体側螺合部材７００６およびグリップ側螺合部材７１０１の双方のねじ形状が螺合しない。このため、グリップ７００４を撮像装置本体７００２固定することはできない。
【０２９０】
この場合、ユーザーがグリップ７００４を撮像装置本体７００２に装着しようとして、グリップ７００４を乱雑に動かすと、本体側係合部７００８とグリップ側係合部７１０４とが接触する状態が頻繁に発生する。
【０２９１】
一方、図５２Ｃに示したように、本体側係合部７００８と本体側接点ピン７０１０の先端とにはクリアランスＴ１が設けられている。よって、グリップ側係合部７１０４が本体側接点ピン７０１０に衝突して、本体側接点ピン７０１０が損傷することを防ぐことができる。
【０２９２】
［接点保護構造の概略］
次に、本発明の第２の実施形態による撮像装置本体７００２の本体側取付機構７００５の第１の変形例について説明する。
【０２９３】
前述の撮像装置本体７００２に備えられた本体側取付部材７００７と同様に、ロゼットと呼ばれるアクセサリの取付け機構が、本発明の第２の実施形態の第１の変形例である撮像装置本体３６００に用いられる。撮像装置本体３６００においては、本体側取付部材３６０１の内側に接点部３６０２を有しているが、接点部３６０２が撮像装置本体３６００の表面に露出している場合、次のような不具合が起こる可能性がある。
【０２９４】
例えば、接点部３６０２に意図せず指などが触れて被膜が生じて接触不良を起こす可能性がある。さらには、別の装置が接点部３６０２に触れて接点部３６０２を破壊する可能性がある。また、本体側取付部材３６０１にアクセサリを装着する際に、誤ってアクセサリの係合部を接点部３６０２にぶつけて接点部３６０２を破壊してしまう可能性がある。
【０２９５】
このような不具合を防止するため、撮像装置本体３６００では、電気接点およびロゼットを有するアクセサリが装着された際に接点部３６０２が露出し、それ以外では接点部３６０２が退避する構造が用いられる。
【０２９６】
図５８は、本発明の第２の実施形態の第１の変形例による撮像装置本体の外観を示す斜視図である。
【０２９７】
図５９は、図５８に示す撮像装置本体３６００に備えられた本体側取付機構３６５０を説明するための図である。図５９（ａ）は、本体側取付機構３６５０を撮像装置本体３６００の外側から見た斜視図であり、図５９（ｂ）は、本体側取付機構３６５０を撮像装置本体３６００の内側から見た斜視図である。
【０２９８】
また、図６０は、撮像装置本体３６００に着脱可能なグリップ３７００の外観を示す斜視図である。
【０２９９】
なお、ここでは、説明の便宜上、座標系を図５８に示すように規定する。そして、Ｚ軸を撮像装置本体３６００の前後方向（不図示のレンズ側（正面側）を＋Ｚ方向）、Ｙ軸を撮像装置本体３６００の上下方向（上面側を＋Ｙ方向）、Ｘ軸を撮像装置本体３６００の左右方向（正面側から見て右側面側を＋Ｘ方向）とする。
【０３００】
図５８において、撮像装置本体３６００はグリップ３７００などのアクセサリを固定するための本体側取付機構３６５０を有している。図５９に示すように、本体側取付機構３６５０には、前述の第２の実施形態での撮像装置本体７００２に備えられた本体側取付部材７００７と同様に、ロゼットと呼ばれるアクセサリの取付部材が用いられている。本体側取付機構３６５０は、本体側取付板金３６５１の本体側固定部３６５２によって、締結部材などで撮像装置本体３６００の本体内部に強固に固定されている。強固に固定されているので、本体側取付機構３６５０は、取り付けられたグリップ３７００などのアクセサリを強固に支えることができる。
【０３０１】
図５８および図５９に示すように、本体側取付機構３６５０は円形の本体側取付部材３６０１を有している。本体側取付部材３６０１において外観に露出する面には、リング状に且つ円の中心から放射状に、凹凸形状部が形成されている。なお、同様に、図６０に示すグリップ３７００のグリップ側取付部材３７０２も、リング状に且つ円中心から放射状に、凹凸形状に形成されている。
【０３０２】
本体側取付部材３６０１とグリップ側取付部材３７０２の各凹凸形状部を係合させると、撮像装置本体３６００に対するグリップ３７００の位置が決まる。
【０３０３】
本体側取付部材３６０１を収容する有底円筒状のアクセサリ固定部３６１１の外周には第１の本体側ねじ３６０３が設けられている。第１の本体側ねじ３６０３は、図６０に示すグリップ３７００の第１のグリップ側ねじ３７０３と螺合して、撮像装置本体３６００とグリップ３７００とを固定するためのねじ部である。
【０３０４】
また、グリップ３７００には、グリップ本体部３７５０に対して回転操作することができる締付けつまみ３７０５が備えられている。締付けつまみ３７０５の内周面には第１のグリップ側ねじ３７０３が成形されており、締付けつまみ３７０５の回転操作に伴って第１のグリップ側ねじ３７０３が回転する。締付けつまみ３７０５の内周面の第１のグリップ側ねじ３７０３より先端（開口）側には第２のグリップ側ねじ３７０４が成形されている。このため、締付けつまみ３７０５の回転に伴って第２のグリップ側ねじ３７０４が回転する。
【０３０５】
雄ねじとして形成された第１の本体側ねじ３６０３は、雌ねじとして形成された第１のグリップ側ねじ３７０３と螺合して、グリップ３７００を撮像装置本体３６００に固定する。つまり、本体側取付部材３６０１とグリップ側取付部材３７０２とを係合させ、締付けつまみ３７０５を回転操作して第１の本体側ねじ３６０３と第１のグリップ側ねじ３７０３とを螺合させる。これによって、撮像装置本体３６００にグリップ３７００を固定することができる。
【０３０６】
締付けつまみ３７０５の先端（開口側）には、第２のグリップ側ねじ３７０４が雌ねじとして形成されている。よって、締付けつまみ３７０５を回転させると、第１のグリップ側ねじ３７０３と第２のグリップ側ねじ３７０４は一体的に回転する。第２のグリップ側ねじ３７０４の内径は、第１のグリップ側ねじ３７０３の内径よりも長い。これは、第２のグリップ側ねじ３７０４と螺合する後述の第２の本体側ねじ３６０４の外径が、第１のグリップ側ねじ３７０３と螺合する第１の本体側ねじ３６０３の外径よりも長いからである。第２のグリップ側ねじ３７０４の機能については、後述する。
【０３０７】
図５９に示すように、本体側取付機構３６５０はグリップ３７００と電気的に接続するための接点部３６０２を有している。接点部３６０２は電気接続部３６６０によって撮像装置本体３６００内部に電気的に接続される。
【０３０８】
一方、図６０に示すように、グリップ３７００には撮像装置本体３６００と電気的に接続するためのグリップ側接点パターン３７０１が形成されている。グリップ側接点パターン３７０１は接点部３６０２と接して電気的な接続を行う。
【０３０９】
グリップ側接点パターン３７０１は、グリップ側取付部材３７０２との軸心を中心として同心円状のパターンとして形成されている。このため、撮像装置本体３６００に対して、任意の角度でグリップ３７００を回転させて取り付けると、グリップ側接点パターン３７０１と接点部３６０２とを接触させて電気的に接続することができる。この状態では、撮像装置本体３６００とグリップ３７００との間で電源供給や通信などを行うことができる。図示の例では、接点部３６０２は５本のピンを有し、それぞれのピンに対応するため、グリップ側接点パターン３７０１は５本の円周状のパターンを有している。
【０３１０】
撮像装置本体３６００にグリップ３７００が固定されていない状態では、接点部３６０２の保護のため、接点部３６０２は退避する。当該退避については後述する。
【０３１１】
図６１は、図５９に示す本体側取付機構３６５０の分解斜視図である。図６１（ａ）は、撮像装置本体３６００の外側から見た際の本体側取付機構３６５０の分解斜視図である。図６１（ｂ）は、撮像装置本体３６００の内側から見た本体側取付機構３６５０の分解斜視図である。
【０３１２】
本体側取付機構３６５０において、３本のシャフト部材３６０６および３つのビス３６５５によって、本体側取付部材３６０１、アクセサリ固定部３６１１、および本体側取付板金３６５１が共締めされる。接点部３６０２と電気接続部３６６０を有する接点ユニット３６０５は、シャフト部材３６０６に挿通されている。そして、接点ユニット３６０５は、シャフトストッパー３６０７と本体側取付板金３６５１との間をシャフト部材３６０６に沿ってスライド可能である。
【０３１３】
そのため、−Ｘ方向に接点ユニット３６０５がスライドすると、接点部３６０２の先端が取付部材接点面３６０１ａよりも−Ｘ方向に移動して接点部３６０２が露出する。一方、＋Ｘ方向に接点ユニット３６０５がスライドすると、接点部３６０２の先端が取付部材接点面３６０１ａよりも＋Ｘ方向に移動して接点部３６０２が退避する。
【０３１４】
シャフト部材３６０６には、接点ユニット３６０５の他にも第１のバネ部３６０９および第２のバネ部３６１０が挿通されている。第１のバネ部３６０９は接点ユニット３６０５を＋Ｘ方向に付勢し、第２のバネ部３６１０は接点ユニット３６０５を−Ｘ方向に付勢する。
【０３１５】
接点ユニット３６０５の外周には、第２のグリップ側ねじ３７０４と螺合するための第２の本体側ねじ３６０４が、第１の本体側ねじ３６０３とは異なるねじピッチで、雄ねじとして形成されている。第２の本体側ねじ３６０４の軸は、第１の本体側ねじ３６０３と同一の軸上に位置している。つまり、第２の本体側ねじ３６０４と第１の本体側ねじ３６０３は同軸に設けられている。
【０３１６】
前述の通り、接点ユニット３６０５は、シャフトストッパー３６０７と本体側取付板金３６５１との間をシャフト部材３６０６に沿ってスライド可能である。そのため、−Ｘ方向に接点ユニット３６０５がスライドすると、接点部３６０２の先端が取付部材接点面３６０１ａよりも−Ｘ方向に移動して接点部３６０２が露出する。
【０３１７】
一方、＋Ｘ方向に接点ユニット３６０５がスライドすると、接点部３６０２の先端が取付部材接点面３６０１ａよりも＋Ｘ方向に移動して、接点部３６０２は退避する。接点部３６０２の５本のピンの内側（＋Ｘ方向側）には、各ピンに対応して後述の接点バネ３６０８（図６２参照）が５本設けられている。接点部３６０２のピンは、＋Ｘ方向に力を受けた場合に、接点バネ３６０８が縮んで接点部３６０２の内側（＋Ｘ方向）に押し込まれることで破損が防止される。
【０３１８】
電気接続部３６６０は撮像装置本体３６００の内部と電気的に接続されており、電気接続部３６６０と接点部３６０２の５本のピンは電気的に接続されている。このために、グリップ側接点パターン３７０１に接点部３６０２が接している場合には、撮像装置本体３６００の内部からグリップ３７００へ電力や電気信号を送ることができる。
【０３１９】
図６２乃至図６４は、本体側取付機構３６５０とグリップ側取付部材３７０２との破断斜視図である。図６２（ａ）は、本体側取付部材３６０１とグリップ側取付部材３７０２とが係合する前の状態の破断斜視図である。図６２（ｂ）は、本体側取付部材３６０１とグリップ側取付部材３７０２とが係合した状態の破断斜視図である。図６３（ａ）は、第１の本体側ねじ３６０３と第１のグリップ側ねじ３７０３とが螺合を開始した状態の破断斜視図である。図６３（ｂ）は、第２の本体側ねじ３６０４と第２のグリップ側ねじ３７０４とが接触した状態の破断斜視図である。図６４（ａ）は、第２の本体側ねじ３６０４と第２のグリップ側ねじ３７０４とが螺合を開始した状態の破断斜視図である。図６４（ｂ）は、撮像装置本体３６００にグリップ３７００が固定された状態の破断斜視図である。
【０３２０】
図６２（ａ）では、本体側取付部材３６０１とグリップ側取付部材３７０２とが接触することなく、グリップ３７００と撮像装置本体３６００とが離れた状態が示されている。この状態では、第１のバネ部３６０９によって、本体側取付部材３６０１と接点ユニット３６０５とはＸ軸に沿って離間する方向、つまり、接点ユニット３６０５を本体内側に付勢する方向に力が加えられている。このため、第１のバネ部３６０９によって、接点ユニット３６０５に設けられた接点部３６０２は取付部材接点面３６０１ａよりも＋Ｘ方向に位置して、接点部３６０２は退避した状態となっている。また、図６２（ａ）に示す状態では、接点ユニット３６０５とシャフトストッパー３６０７とをＸ軸に沿って離間する方向に、第２のバネ部３６１０によって力が加えられる。
【０３２１】
このため、接点ユニット３６０５は本体側取付部材３６０１とシャフトストッパー３６０７と間において位置が安定せず、接点部３６０２が図６２（ａ）に示す状態においても露出してしまう恐れがある。そこで、図示の例では、図６２（ａ）に示す状態においては、常に接点部３６０２が取付部材接点面３６０１ａよりも＋Ｘ方向側に位置して、接点部３６０２が退避した状態となるように第１のバネ部３６０９と第２のバネ部３６１０のバネバランスが調整されている。
【０３２２】
図６２（ａ）に示す状態から、本体側取付部材３６０１とグリップ側取付部材３７０２との位相を合わせて係合させると、図６２（ｂ）に示す状態となる。この状態で締付けつまみ３７０５を時計回り（Ｋ方向）に回転操作すると、回転操作に伴って第１のグリップ側ねじ３７０３が時計回り（矢印Ｋ方向）に回転する。第１のグリップ側ねじ３７０３が回転すると、第１のグリップ側ねじ３７０３と第１の本体側ねじ３６０３とが螺合して、第１のグリップ側ねじ３７０３が回転しつつ撮像装置本体３６００の内側（＋Ｘ方向）に進み、図６３（ａ）に示す状態となる。
【０３２３】
図６３（ａ）に示す状態においては、第２のグリップ側ねじ３７０４が第１の本体側ねじ３６０３に干渉しないように、第２のグリップ側ねじ３７０４の径は第１のグリップ側ねじ３７０３の径よりも大きく設定されている。
【０３２４】
締付けつまみ３７０５をさらに時計回り（矢印Ｋ方向）に回すと、第１のグリップ側ねじ３７０３が撮像装置本体３６００の内側（＋Ｘ方向）にさらに進む。そして、第１のグリップ側ねじ３７０３の先端に設けられた第２のグリップ側ねじ３７０４が接点ユニット３６０５に設けられた第２の本体側ねじ３６０４に当接して、図６３（ｂ）に示す状態となる。
【０３２５】
第１のグリップ側ねじ３７０３と第２のグリップ側ねじ３７０４とは同一部材によって成形され、これらの回転の軸は同一であるため、第１のグリップ側ねじ３７０３と第２のグリップ側ねじ３７０４とはともに回転して撮像装置本体３６００の内側に進む。
【０３２６】
第２のグリップ側ねじ３７０４と第２の本体側ねじ３６０４とが当接した状態で、第１のグリップ側ねじ３７０３および第２のグリップ側ねじ３７０４を時計回り（矢印Ｋ方向）にさらに回転させる。すると、当接した部分から、接点ユニット３６０５を撮像装置本体３６００の内側（＋Ｘ方向）に押す力が加わって、接点ユニット３６０５を介して第２のバネ部３６１０が圧縮されて接点ユニット３６０５が撮像装置本体３６００の内側（＋Ｘ方向）に進む。
【０３２７】
こうして、第２のグリップ側ねじ３７０４が回転して接点ユニット３６０５を押し進める間に、第２のグリップ側ねじ３７０４および第２の本体側ねじ３６０４のねじ山が噛み合う。ここで、第２のグリップ側ねじ３７０４と第２の本体側ねじ３６０４のねじ山が噛み合うためには、これらが当接してから、最大で第２のグリップ側ねじ３７０４が１回転する必要がある。このため、少なくとも第１のグリップ側ねじ３７０３の１回転によって撮像装置本体３６００の内側（＋Ｘ方向）に進む距離を、接点ユニット３６０５は撮像装置本体３６００の内側（＋Ｘ方向）に移動可能となっている必要がある。
【０３２８】
図示の例では、接点ユニット３６０５が第１のグリップ側ねじ３７０３の２回転分で進む距離をスライドすることができるように、接点ユニット３６０５、シャフト部材３６０６、および第２のバネ部３６１０が構成される。
【０３２９】
図６３（ｂ）に示す状態から、締付けつまみ３７０５を時計回り（矢印Ｋ方向）にさらに回転させる。すると、第１の本体側ねじ３６０３と第１のグリップ側ねじ３７０３とが螺合している第１のグリップ側ねじ３７０３は、回転しつつ撮像装置本体３６００の内側（＋Ｘ方向）に進む。これにより、第２の本体側ねじ３６０４および第２のグリップ側ねじ３７０４も螺合して、図６４（ａ）に示す状態となる。
【０３３０】
図示の例では、第２のグリップ側ねじ３７０４は第１のグリップ側ねじ３７０３よりもそのねじピッチが急である。そのため、１回転した際に、第１のグリップ側ねじ３７０３よりも第２のグリップ側ねじ３７０４の方がＸ方向に移動する距離が大きくなる。
【０３３１】
仮に第２のグリップ側ねじ３７０４と第１のグリップ側ねじ３７０３とが同一のねじピッチであるとする。この場合には、第１の本体側ねじ３６０３と第１のグリップ側ねじ３７０３を螺合させると同時に第２の本体側ねじ３６０４と第２のグリップ側ねじ３７０４とを螺合させても、本体側取付部材３６０１と接点ユニット３６０５の間の距離は変化しない。
【０３３２】
これに対して、第２のグリップ側ねじ３７０４のねじピッチを第１のグリップ側ねじ３７０３のねじピッチよりも急とすることにより、接点ユニット３６０５を本体側取付部材３６０１に近づく方向（−Ｘ方向）にスライドさせることができる。
【０３３３】
接点ユニット３６０５が本体側取付部材３６０１に近づく方向（−Ｘ方向）にスライドすると、接点部３６０２が取付部材接点面３６０１ａよりも−Ｘ方向に移動する。これにより、接点部３６０２が露出しグリップ側接点パターン３７０１と接触して、図６４（ａ）に示す状態となり、撮像装置本体３６００とグリップ３７００とは電源供給や通信を行うことが可能となる。
【０３３４】
図６４（ａ）に示す状態から締付けつまみ３７０５を時計回り（矢印Ｋ方向）にさらに回転させると、図６４（ｂ）に示す状態となる。この状態では、第１のグリップ側ねじ３７０３と第１の本体側ねじ３６０３とによって本体側取付部材３６０１とグリップ側取付部材３７０２とが締め付けられて、撮像装置本体３６００にグリップ３７００がしっかりと固定される。
【０３３５】
図６４（ｂ）に示す状態は図６４（ａ）に示す状態よりも、本体側取付部材３６０１と接点ユニット３６０５とが接近しており、グリップ側接点パターン３７０１によって接点部３６０２は押しつぶされる方向に力が加えられている。しかし、接点部３６０２の根元に位置する接点バネ３６０８が圧縮されることで、接点部３６０２の押しつぶしによる破損を防ぐことができる。
【０３３６】
撮像装置本体３６００からグリップ３７００を取り外す場合、図６２乃至図６４で説明した操作の逆の操作を行えば、容易にグリップ３７００を取り外すことができる。
【０３３７】
このように、本体側取付機構３６５０に対して第２のグリップ側ねじ３７０４とグリップ側接点パターン３７０１を有するグリップ３７００とが取り付けられた場合にのみ、接点部３６０２を露出させてグリップ側接点パターン３７０１と導通させることができる。
【０３３８】
一方、本体側取付機構３６５０は、グリップ３７００が取り付けられていない場合には、第２の本体側ねじ３６０４が螺合することがないので、接点部３６０２は露出することはない。また、グリップ側取付部材３７０２の周辺に他の機器などが不用意に触れて押し込み方向（＋Ｘ方向）の外力が加えられても、接点部３６０２が露出することがない。
【０３３９】
上述のようにして、接点部３６０２を状況に応じて露出および退避させることによって、接点端子に対する意図しない接触および接点端子の破壊を防ぐことができる。
【０３４０】
［第３の実施形態］
次に、本発明の第３の実施形態による撮像装置の一例について説明する。
【０３４１】
［グリップの構成］
図６５は、本発明の第３の実施形態による撮像装置で用いられるグリップ８００１を背面側から見た斜視図である。図６６は、図６５に示すグリップ８００１に設けられた撮像装置本体への取付部の分解斜視図である。図６７は、図６５に示すグリップ８００１の取付部の部分断面図である。図６８は、グリップ８００１の外装部材の一部を詳細に示す図である。
【０３４２】
図６９Ａおよび図６９Ｂは、図６５に示すグリップ８００１で用いられる取付部材駆動レバー８１２１の斜視図である。図６９Ｃは、取付部材駆動レバー８１２１の分解斜視図である。図６９Ｄは、取付部材駆動レバー８１２１を構成するガイドピン８１２７の斜視図である。
【０３４３】
グリップ８００１は、ユーザーが前述の撮像装置本体７００２（図４８など参照）を把持しつつ撮影する行為を容易にするために用いられ、撮像装置本体７００２に対して着脱可能なアクセサリの一種である。なお、撮像装置本体７００２に取り付けられるアクセサリは本体側取付機構７００５に取り付け可能な構造を有していれよく、グリップ８００１には限定されない。また、撮像装置本体７００２の構成の詳細については、説明済みであるため、ここでの説明は省略する。
【０３４４】
グリップ８００１の外装部材８１０６は、基板、配線パターン、および構造部材（ともに図示せず）を内包し、ユーザーが把持する部分と押しボタンおよびダイヤルなどの操作部材が露出する部分とを備えている。
【０３４５】
図６８に示すように、外装部材８１０６の一部には、後述するグリップ側螺合部材８１０１が嵌合する円筒突部８１０９が設けられている。そして、円筒突部８１０９の円筒側面には、後述する取付部材駆動レバー８１２１に設けられたガイドピン８１２７がそれぞれ嵌合する複数のガイド孔８１２８（略Ｌ字型のガイド溝）が設けられている。また、外装部材８１０６には、取付部材駆動レバー８１２１に設けられた操作ノブ取付部８１２４をグリップ８００１の外部に露出させるための取付部開口孔８１３０が設けられている。
【０３４６】
グリップ側螺合部材８１０１の内周側面には、本体側螺合部材７００６と螺合するためのねじ形状部８１０５が形成されている。図示の例では、ねじ形状部８１０５は、本体側螺合部材７００６の雄ねじ形状部に螺合するため、雌ねじ形状部である。
【０３４７】
グリップ側螺合部材８１０１は内周嵌合部８１０８を有しており、内周嵌合部８１０８は、外装部材８１０６に設けられた円筒突部８１０９の外周面と嵌合する。これによって、グリップ側螺合部材８１０１は、回転軸８１１０を中心として外装部材８１０６に対して回動可能となる。なお、回転軸８１１０はグリップ側螺合部材８１０１の中心を通るＸ軸と平行である。
【０３４８】
グリップ側螺合部材８１０１は、圧縮コイルバネで構成された螺合部材付勢バネ８１１１によってストッパー部材８１１８側（＋Ｘ方向）に常時付勢される。螺合部材付勢バネ８１１１は外装部材８１０６とグリップ側螺合部材８１０１との間に圧縮された状態で狭持されている。
【０３４９】
ストッパー部材８１１８は、螺合部材付勢バネ８１１１の圧縮によって生じた付勢力を受けたグリップ側螺合部材８１０１が円筒突部８１０９から脱落するのを防止するための部材であり、円筒突部８１０９の先端にビス８１３１によって固定されている。
【０３５０】
接点パターン８１０３は、撮像装置本体７００２の本体側接点ピン７０１０と電気的に接続可能な電気接点であって、基板上に同心円状に形成されている。本体側接点ピン７０１０と接点パターン８１０３とが接続されると、撮像装置本体７００２とグリップ８００１との間で電源供給および通信を行うことができる。接点パターン８１０３は、例えば、成型回路部品（ＭＩＤ）で構成されおり、接点パターン保持部材８１１９を介して外装部材８１０６の内部にビス８１３２で固定される。
【０３５１】
接点パターン保持部材８１１９は、グリップ８００１の内部にビス（不図示）で固定される。接点パターン保持部材８１１９は、取付部材嵌合部８１２０および駆動レバー嵌合部８１２２を有している。取付部材嵌合部８１２０には、グリップ側係合部８１０４が接点パターン保持部材８１１９に対して並進移動可能に嵌合される。また、駆動レバー嵌合部８１２２には、取付部材駆動レバー８１２１が接点パターン保持部材８１１９に対して回動および並進可能に嵌合される。
【０３５２】
図６６、図６９Ａおよび図６９Ｂに示すように、取付部材駆動レバー８１２１は前述の駆動レバー嵌合部８１２２と嵌合する保持部材嵌合部８１２９を有する。保持部材嵌合部８１２９の周縁からは台座部８１２３が延出しており、台座部８１２３には操作ノブ取付部８１２４が配置されている。そして、操作ノブ取付部８１２４の一部は、外装部材８１０６に設けられた取付部開口孔８１３０から外部に露出する。
【０３５３】
操作ノブ取付部８１２４の先端には、レバー操作ノブ８１２５がビス８１３３によって取付部材駆動レバー８１２１の外側から固定されており、ユーザーは取付部材駆動レバー８１２１を操作する際にレバー操作ノブ８１２５を使用する。
【０３５４】
保持部材嵌合部８１２９の外周面には、ガイドピン取付部８１３４が設けられており、ガイドピン取付部８１３４にはガイドピン８１２７が固定されている。取付部材駆動レバー８１２１が外装部材８１０６に取り付けられた後、円筒突部８１０９の円周部に設けられたガイド孔８１２８に嵌合するように円筒突部８１０９の外周側からガイドピン８１２７が取り付けられる。
【０３５５】
図６９Ｄに示すように、ガイドピン８１２７は、工具穴８１３５および雄ねじ部８１３６を有する。ガイドピン８１２７を取付部材駆動レバー８１２１に取り付けるには、所定の工具を工具穴８１３５に挿入して、ガイドピン８１２７を回転させる。これによって、雄ねじ部８１３６がガイドピン取付部８１３４に設けられた雌ねじ部（図示せず）に固定される。雄ねじ部８１３６に接着剤を塗布して、使用中にガイドピン８１２７が脱落しないようにすることが望ましい。
【０３５６】
グリップ側係合部８１０４は、その表面に所定の凹凸形状部が形成されて、前述の本体側係合部７００８と係合する。これにより、グリップ側係合部８１０４は、グリップ８００１が回転軸８１１０を中心として回動することを規制する。
【０３５７】
グリップ側係合部８１０４は、接点パターン８１０３との間に圧縮保持された取付部材付勢バネ８１２６によって、取付部材駆動レバー８１２１の保持部材嵌合部８１２９の先端側（−Ｘ方向）に常時押圧されている。この取付部材付勢バネ８１２６の押圧力によって、グリップ側係合部８１０４は取付部材駆動レバー８１２１の並進動作（Ｘ方向の動作）に応じてＸ方向に連動する。
【０３５８】
［グリップ装着手順の説明］
ここで、上述の撮像装置本体７００２に対してグリップ８００１を装着する際の機械的接続および電気接続について説明する。
【０３５９】
図７０は、撮像装置本体７００２に対してグリップ８００１を装着する前の状態を示す断面図である。図７１は、撮像装置本体７００２に対してグリップ８００１を装着する途中の状態を示す断面図である。図７２は、撮像装置本体７００２に対してグリップ８００１の装着が完了した状態を示す断面図である。
【０３６０】
撮像装置本体７００２にグリップ８００１を取り付ける際には、図７０に示すように、本体側螺合部材７００６とグリップ側螺合部材８１０１との位置を合わせる。そして、図７１に示すように、グリップ８００１を撮像装置本体７００２側の方向である矢印Ａ方向（＋Ｘ方向）に押し付けて、本体側係合部７００８とグリップ側係合部８１０４とを係合させる。
【０３６１】
本体側係合部７００８とグリップ側係合部８１０４とが係合することによって、グリップ８００１の撮像装置本体７００２に対する取付角度が定まる。その際、本体側係合部７００８およびグリップ側係合部８１０４は放射状の凹凸形状に形成されているので、撮像装置本体７００２に対してグリップ８００１を固定する前に任意の角度で係合させることができる。なお、図７１に示す状態では、撮像装置本体７００２とグリップ８００１とは固定されておらず、電気的にも接続されていない。
【０３６２】
グリップ８００１を矢印Ａ方向（＋Ｘ方向）に押し付けた状態で、グリップ側螺合部材８１０１を図７１に示す矢印Ｂ方向（−Ｘ方向から見て時計回りの方向）に回転させる。これによって、本体側螺合部材７００６にグリップ側螺合部材８１０１が螺合して図７２に示す状態となる。
【０３６３】
図７２に示すように、本体側係合部７００８とグリップ側係合部８１０４とが係合した状態で本体側螺合部材７００６とグリップ側螺合部材８１０１とを螺合させる。これによって、グリップ８００１をガタつきなく撮像装置本体７００２に対して強固に固定することができる。また、このとき、本体側接点ピン７０１０と接点パターン８１０３とが接触し、電気的に接続される。
【０３６４】
グリップ８００１を撮像装置本体７００２から取り外す際は、図７０乃至図７２で説明した取り付ける動作と逆の動作を行えばよい。つまり、まず、グリップ側螺合部材８１０１を矢印Ｂ方向の反対方向に回してグリップ側螺合部材８１０１を弛める。これによって、バネ７１１６の付勢力によって接点パターン８１０３が本体側接点ピン７０１０から離間して、撮像装置本体７００２とグリップ８００１との電気接続が断たれる。また、グリップ側螺合部材８１０１が本体側螺合部材７００６から外れて、撮像装置本体７００２とグリップ８００１との固定が解かれる。そして、矢印Ａ方向の反対方向にグリップ８００１を引き離せば、グリップ８００１を撮像装置本体７００２から取り外すことができる。
【０３６５】
次に、グリップ８００１が撮像装置本体７００２に装着された状態において、グリップ８００１の角度を変更する際の手順について説明する。
【０３６６】
図７３は、グリップ側係合部８１０４が本体側係合部と係合する位置にある際の状態の部分斜視図である。図７４は、撮像装置本体７００２にグリップ８００１を装着した状態でグリップ側係合部８１０４の係合を解除した状態を示す断面図である。図７５は、グリップ側係合部８１０４が本体側係合部７００８に対して離間した位置にある状態を部分的に示す斜視図である。なお、図７３と図７５では、グリップ側螺合部材８１０１、螺合部材付勢バネ８１１１、およびストッパー部材８１１８は示されていない。
【０３６７】
図７６は、ガイドピン８１２７とガイド溝の関係を説明するための図である。図７６（ａ）は、本体側係合部７００８とグリップ側係合部８１０４が係合した状態におけるガイドピン８１２７とガイド孔８１２８の関係を示す図である。図７６（ｂ）は、本体側係合部７００８とグリップ側係合部８１０４が離間した状態におけるガイドピン８１２７とガイド孔８１２８の関係を示す図である。
【０３６８】
まず、図７２に示すように、グリップ８００１が撮像装置本体７００２に装着されてグリップ側係合部８１０４と本体側係合部７００８が係合した状態から、取付部材駆動レバー８１２１を図７３に示す矢印Ｂ方向に回転させるように操作する。
【０３６９】
取付部材駆動レバー８１２１を操作すると、取付部材駆動レバー８１２１のガイドピン８１２７が外装部材８１０６のガイド孔８１２８に沿って、図７６（ａ）に示す矢印Ｎ方向に動作する。この際、ガイドピン８１２７は取付部材駆動レバー８１２１の回転軸８１１０に対して垂直な面（ＹＺ平面）上に配置されたガイド孔８１２８の領域Ｐを移動する。このとき、ガイドピン８１２７は本体側係合部７００８とグリップ側係合部８１０４との係合状態を保ったまま回動する。
【０３７０】
取付部材駆動レバー８１２１の回動を続けると、ガイドピン８１２７は、ガイド孔８１２８の領域Ｐ内を矢印Ｎ方向に移動した後、ガイド孔８１２８の変曲点に到達する。
【０３７１】
ガイドピン８１２７がガイド孔８１２８の変曲点に到達すると、取付部材駆動レバー８１２１はガイド孔８１２８に沿って領域Ｑに移動する。その際、グリップ側係合部８１０４は取付部材付勢バネ８１２６の作用によって−Ｘ方向の荷重を受けて取付部材駆動レバー８１２１に付勢されている。このため、取付部材駆動レバー８１２１が領域Ｑに移動するにつれて、グリップ側係合部８１０４が距離Ｔ２の分だけ矢印Ｒ方向に移動する。つまり、図７４に示すように、本体側係合部７００８に対してグリップ側係合部８１０４が離間するので、グリップ８００１は係合状態ではなくなる。言い替えると、グリップ８００１はその回転位置が変更可能となる。
【０３７２】
一方、本体側係合部７００８とグリップ側係合部８１０４とが係合状態ではなくなっても、撮像装置本体７００２の本体側接点ピン７０１０とグリップ８００１の接点パターン８１０３とは接続された状態を保つ。つまり、本体側係合部７００８とグリップ側係合部８１０４との機械的な接続が解除されるのみで電気的な接続は保たれる。
【０３７３】
従って、撮像装置本体７００２とグリップ８００１との固定と電気的な接続を維持しつつ、撮像装置本体７００２に対してグリップ８００１を回動することができる。
【０３７４】
所望の角度に再設定した後にグリップ８００１を固定するには、ユーザーは、まずレバー操作ノブ８１２５を用いて取付部材駆動レバー８１２１を、図７４および図７５に示す位置から＋Ｘ方向に動作させる。これにより、ガイドピン８１２７はガイド孔８１２８の領域Ｑから領域Ｐに向かって移動する。そして、取付部材駆動レバー８１２１に連動して、グリップ側係合部８１０４は、本体側係合部７００８に対して離間した状態から係合した状態へ遷移する。
【０３７５】
その後、ユーザーは取付部材駆動レバー８１２１を矢印Ｂ方向と逆の方向に回動させる。これによって、図７６（ａ）に示すように、ガイドピン８１２７がガイド孔８１２８の領域Ｐに移動して、グリップ側係合部８１０４と本体側係合部７００８との係合状態を維持させることができる。
【０３７６】
このように、撮像装置本体７００２からグリップ８００１を取り外すことなく、グリップ８００１の角度を変更することができる。その際、撮像装置本体７００２に対するグリップ８００１の電気的な接続状態を保って、グリップ側係合部８１０４が離間した状態を維持できるので、ローアングル撮影からハイアングル撮影などの撮影姿勢の変更を行いつつ撮影を行うことができる。
【０３７７】
このように、本発明の実施の形態によれば、撮像装置本体とグリップを強固に固定し、かつ容易に電気接続を行うことができる。この結果、撮像装置の利便性を向上させることができる。さらに、撮像装置本体とグリップが強固に固定された状態で電気接続が確実に行われるので、信頼性の高い電気接続を確保することができる。
【０３７８】
［撮像装置本体の機能構成］
図７７は、第１乃至第３の実施形態における撮像装置本体１０００の概略構成を示すブロック図である。図７７を用いて、撮像装置本体１０００の機能構成を説明する。
【０３７９】
撮像装置本体１０００は、レンズ通信部４８００、センサ基板４３０２に実装された撮像素子４００６、メイン基板４４０１、カード基板４５０２、マイク部４０１２を備える。また、撮像装置本体１０００は、外部接続端子４０２１、着脱可能なバッテリー４０７０、操作部４０４４、ファン４４０４、表示部４０４０を備える。
【０３８０】
ＣＰＵ４０４１、ＲＯＭ４０４２およびＲＡＭ４０４３は、メイン基板４４０１に実装されている。ＲＯＭ４０４２は、電気的に消去・記憶が可能なメモリであって、例えば、ＥＥＰＲＯＭ等が用いられる。ＲＯＭ４０４３には、ＣＰＵ４０４１の動作用の定数及びプログラム等が記憶される。ＣＰＵ４０４１は、ＲＯＭ４０４３に記憶されたプログラムを実行して撮像装置本体１０００を構成する各部の動作を制御することにより、撮像装置本体１０００の統括的な制御を実現する。ＲＡＭ４０４３は、システムメモリ、ワークメモリ、画像メモリおよび音声メモリ等として用いられ、ＣＰＵ４０４１の動作用の定数、変数およびＲＯＭ４０４２から読み出したプログラム等が展開される。
【０３８１】
撮像素子４００６は、ＣＣＤセンサ又はＣＭＯＳセンサであり、Ａ／Ｄ変換器を有する。撮像装置本体１０００に装着されたレンズ装置が入射光を撮像素子４００７に光学像として結像させる。撮像素子４００６は、結像した光学像をアナログ電気信号に変換し、さらにＡ／Ｄ変換器によりデジタル信号に変換して映像信号として出力する。生成されたデジタル映像信号は、メイン基板４４０１上の映像信号処理部４１４６に出力される。 
【０３８２】
映像信号処理部４１４６は、入力されたデジタル映像信号に対して所定の処理を行い、さらに別途取り込んだ音声信号や各種メタデータと合わせることで映像データを生成する。映像信号処理部４１４６で生成された映像データは、表示部４０４０に送られて映像として表示される。この際、必要に応じて撮像装置本体１０００の動作状況がオンスクリーン・ディスプレイ情報として表示される。
【０３８３】
なお、撮像素子４００６は、複数の位相差検出用画素を備えている。そして、映像信号処理部４１４６は、複数の位相差検出用画素の出力信号を用いて相関演算を行い、相関演算結果に基づいて取り付けられているレンズ装置の焦点位置を制御して撮像面位相差検出方式のオートフォーカスを行うことができる。また、撮影者によって記録が選択された際には、映像信号処理部４１４６にて生成された映像データは、所定の処理が加えられることで各種フォーマットに変換された後にカード基板４５０２に送られ、記録メディアに映像として保存される。
【０３８４】
撮像装置本体１０００は、記録メディアに保存されている記録データを映像信号処理部４１４６に読み込ませることで元の映像データを再生成することができ、再生成された映像データは表示部４０４０や外部接続端子４０２１に対して出力することが可能である。外部接続端子４０２１に所定のコネクタが接続されている際には、映像信号処理部４１４６から外部接続端子４０２１に対して映像信号を出力し外部機器に送信することが可能となっている。
【０３８５】
マイク部４０１２から入力された音声信号は、所定レベルにゲインコントロールされた後にＡ／Ｄ変換され、デジタルデータの音声データに変換される。映像データや音声データは、ＲＡＭ４０４３に一時記憶される。
【０３８６】
ＣＰＵ４０４１は、ＲＡＭ４０４３に一時記憶された映像データや音声データをカード基板４５０２へ送信する。カード基板４５０２には記録メディアの挿抜が可能となっており、映像データや音声データを記録メディアに記録する。なお、記録メディアには、ＳＤカードやＣＦ、ＣＦａｓｔ、ＸＱＤ、ＣＦｅｘｐｒｅｓｓなどの規格に準拠したメモリカード等の脱着式のフラッシュメモリが用いられる。
【０３８７】
ファン４４０４は、温度検知部（不図示）が取得した温度に基づいて動作し、撮像装置本体１０００の内部への吸排気を行う。ファン４４０４の回転状態はＣＰＵ４０４１によって制御される。操作部４０４４は、使用者の操作による指示をＣＰＵ４０３１に伝える。操作部４０４４は、ＲＥＣボタンや電源スイッチ、操作キーなどを含む。操作部４０４４が使用者により操作されることで、使用者からの各種指示がＣＰＵ４０４１へ送信される。
【０３８８】
不図示の電源制御部は、バッテリー検出回路、ＤＣ−ＤＣコンバータおよび通電するブロックを切り替えるスイッチ回路等により構成されており、電池の装着の有無、電池の種類、電池残量の検出を行う。撮像装置本体１０００に電源を供給するバッテリー４０７０は、例えば、撮像装置本体１０００に対して着脱可能であり、例えば、リチウムイオン電池等である。表示部４０４０は、例えば、液晶表示装置であり、撮像装置本体１０００の動作状況等をオンスクリーン・ディスプレイ情報として必要に応じて表示する。
【０３８９】
撮像装置本体１０００のレンズ通信部４８００に設けられたレンズ接点部とレンズ装置側のレンズ接点部が接触して導通すると、撮像装置本体１０００のＣＰＵ４０４１はレンズ装置の装着を検知する。ＣＰＵ４０４１は、レンズ装置の装着を検知すると、レンズ装置の内蔵メモリからレンズ情報を読み出してＲＡＭ４０４３に格納する。
【０３９０】
撮像装置本体１０００において、例えば、撮像素子４００６が受信した光は、少なくとも約２３フレーム／秒（ｆｐｓ）のデジタル画像データに変換され、カード基板４５０２により記録メディアに記録される。フレームレートは、約１ｆｐｓ〜約２５０ｆｐｓ以上の範囲で設定することができる。例えば、撮像装置本体１０００は、設定される解像度に応じてフレームレートを変更してもよい。すなわち、「５ｋ」の解像度モードでは約１ｆｐｓ〜約１００ｆｐｓ、「４ｋ」の解像度モードでは約１〜約１２５ｆｐｓのフレームレートが設定される。クアッドＨＤモードでは約１〜約１２５ｆｐｓ、「３ｋ」の解像度モードでは約１〜約１６０ｆｐｓ、「２ｋ」の解像度モードでは約１〜約２５０ｆｐｓのフレームレートが設定される。例えば、フレームレートとして、２０、２３．９７６、２４、３０、６０、および１２０フレーム／秒、又はこれらのフレームレートの間の他のフレームレート、又はそれ以上のフレームレートでもよい。
【０３９１】
撮像装置本体１０００は、２ｋ、３ｋ、４ｋ、４．５ｋ、クアッドＨＤ、５ｋ、６ｋ、８ｋ、更にそれ以上の解像度で画像データを出力することができる。２ｋの解像度とは、例えば、１６：９（２０４８×１１５２画素）、２：１（２０４８×１０２４画素）などである。３ｋの解像度とは、例えば、１６：９（３０７２×１７２８画素）、２：１（３０７２×１５３６画素）などである。４ｋの解像度とは、例えば、４０９６×２５４０画素、１６：９（４０９６×２３０４画素）、２：１（４０９６×２０４８画素）などであり、４．５ｋの解像度とは、例えば、４４８０×１９２０画素などである。クアッドＨＤの解像度とは、例えば、３８４０×２１６０画素であり、５ｋの解像度とは、例えば、５１２０×２７００画素であり、６ｋの解像度とは、例えば、６１４４×３１６０画素であり、８ｋの解像度とは、例えば、７６８０×４３２０画素である。撮像装置本体１０００は、少なくとも上記に列挙した解像度のいずれかの間の水平解像度を有する画像データを記録又は出力するように構成することができる。
【０３９２】
解像度は、上述した値のうち少なくとも１つの間（もしくは上述の値の間の何らかの値）であり、約６．５ｋ、７ｋ、８ｋ、９ｋ、又は１０ｋ、又はそれらの間の何らかの値を取り得る。本実施形態では、ｘｋの形式（上述した２ｋおよび４ｋなど）で表される用語では、「ｘ」の数は近似的な水平解像度を指す。そのため、「４ｋ」の解像度は、約４０００以上の水平画素に対応し、「２ｋ」は約２０００以上の水平画素に対応する。
【０３９３】
撮像素子４００６は、約０．５インチ（８ｍｍ）から、２／３インチ、映画用のＳ３５、３５ｍｍフルフレームスチル、および６４５に及ぶ範囲であることができ、少なくとも約１．０インチ、６ｃｍ×１７ｃｍ以上であることができる。また、少なくとも約１０．１×５．３５ｍｍ、２４．４×１３．７ｍｍ、３０×１５ｍｍ、３６×２４ｍｍ、５６×４２ｍｍ、および１８６×５６ｍｍのサイズを有することもできる。
【０３９４】
それに加えて、撮像素子４００６は、画素領域の所定部分のみを選択的に出力することによって、可変の解像度を提供するように構成することができる。撮像素子４００６は、例えば、ベイヤー配列のカラーフィルタを含むことができる。そのため、撮像素子４００６の個々の光電変換素子によって検出された赤色光、緑色光、又は青色光の量を表すデータを出力する。
【０３９５】
以上、本発明をその実施形態に基づいて説明したが、本発明はこれら特定の実施形態に限られるものではなく、この発明の要旨を逸脱しない範囲の様々な形態も本発明に含まれる。また、上述の実施形態の一部を適宜組み合わせてもよい。
【符号の説明】
【０３９６】
１０００  撮像装置本体
１２００  本体側取付機構
１２１０  本体側取付部材
１２１１  本体側ねじ
１２１２  本体側接点ピン
１２１３  本体側係合部
１４００  グリップ
１４１０  グリップ側取付部材
１４１１  グリップ側ねじ
１４１２  グリップ側接点パターン
１４１３  グリップ側係合部
１４１６  グリップ側保持部材
１４１９  圧縮バネ
２００２  グリップ
２００６  フレキシブル基板
２００７  折り返し部
２０１４  電気コネクタ
２０２１  グリップ側接点パターン
２０２２  カバーレイ
２２１０  本体側取付部材
２２１１  本体側ねじ
２２１３  本体側係合部
２３１１  本体側第１接点ピン
２３１２  本体側第２接点ピン
７００２  撮像装置本体
７００４  グリップ
７００６  本体側螺合部材
７００７  本体側取付部材
７００８  本体側係合部
７０１５  ねじ
８１０１  グリップ側螺合部材
８１０４  グリップ側係合部
【図１】
2020194155.tif 000003
【図２】
2020194155.tif 000004
【図３】
2020194155.tif 000005
【図４】
2020194155.tif 000006
【図５】
2020194155.tif 000007
【図６】
2020194155.tif 000008
【図７】
2020194155.tif 000009
【図８】
2020194155.tif 000010
【図９】
2020194155.tif 000011
【図１０】
2020194155.tif 000012
【図１１】
2020194155.tif 000013
【図１２】
2020194155.tif 000014
【図１３】
2020194155.tif 000015
【図１４】
2020194155.tif 000016
【図１５】
2020194155.tif 000017
【図１６】
2020194155.tif 000018
【図１７】
2020194155.tif 000019
【図１８】
2020194155.tif 000020
【図１９】
2020194155.tif 000021
【図２０】
2020194155.tif 000022
【図２１】
2020194155.tif 000023
【図２２】
2020194155.tif 000024
【図２３】
2020194155.tif 000025
【図２４】
2020194155.tif 000026
【図２５】
2020194155.tif 000027
【図２６】
2020194155.tif 000028
【図２７】
2020194155.tif 000029
【図２８】
2020194155.tif 000030
【図２９】
2020194155.tif 000031
【図３０】
2020194155.tif 000032
【図３１】
2020194155.tif 000033
【図３２】
2020194155.tif 000034
【図３３】
2020194155.tif 000035
【図３４】
2020194155.tif 000036
【図３５】
2020194155.tif 000037
【図３６】
2020194155.tif 000038
【図３７】
2020194155.tif 000039
【図３８】
2020194155.tif 000040
【図３９】
2020194155.tif 000041
【図４０】
2020194155.tif 000042
【図４１】
2020194155.tif 000043
【図４２】
2020194155.tif 000044
【図４３】
2020194155.tif 000045
【図４４】
2020194155.tif 000046
【図４５】
2020194155.tif 000047
【図４６】
2020194155.tif 000048
【図４７】
2020194155.tif 000049
【図４８】
2020194155.tif 000050
【図４９】
2020194155.tif 000051
【図５０】
2020194155.tif 000052
【図５１】
2020194155.tif 000053
【図５２Ａ】
2020194155.tif 000054
【図５２Ｂ】
2020194155.tif 000055
【図５２Ｃ】
2020194155.tif 000056
【図５３】
2020194155.tif 000057
【図５４】
2020194155.tif 000058
【図５５】
2020194155.tif 000059
【図５６】
2020194155.tif 000060
【図５７Ａ】
2020194155.tif 000061
【図５７Ｂ】
2020194155.tif 000062
【図５７Ｃ】
2020194155.tif 000063
【図５７Ｄ】
2020194155.tif 000064
【図５８】
2020194155.tif 000065
【図５９】
2020194155.tif 000066
【図６０】
2020194155.tif 000067
【図６１】
2020194155.tif 000068
【図６２】
2020194155.tif 000069
【図６３】
2020194155.tif 000070
【図６４】
2020194155.tif 000071
【図６５】
2020194155.tif 000072
【図６６】
2020194155.tif 000073
【図６７】
2020194155.tif 000074
【図６８】
2020194155.tif 000075
【図６９Ａ】
2020194155.tif 000076
【図６９Ｂ】
2020194155.tif 000077
【図６９Ｃ】
2020194155.tif 000078
【図６９Ｄ】
2020194155.tif 000079
【図７０】
2020194155.tif 000080
【図７１】
2020194155.tif 000081
【図７２】
2020194155.tif 000082
【図７３】
2020194155.tif 000083
【図７４】
2020194155.tif 000084
【図７５】
2020194155.tif 000085
【図７６】
2020194155.tif 000086
【図７７】
2020194155.tif 000087